(57)【要約】【課題】ＭＣＳテーブル内において、より多くの未使用エントリを将来の拡張のために使用可能な無線通信のための方法を提供する。【解決手段】無線通信のための方法が、パラメータの１つは、変調及びコーディングスキーム（ＭＣＳ）、及び時空間ストリームの数（Ｎｓｔｓ）及び空間ストリームの各々に時空間ブロックコーディングが適用されるかを示すインジケータ（ＳＴＢＣ）の１つをシグナリングする工程と、フレーム内でプリアンブルを送信する工程とを含む。パラメータの１つの値はシグナリングテーブルに対するインデクスを示し、シグナリングテーブルは未使用エントリ及びＭＣＳとＮｓｔｓ及びＳＴＢＣの内の１つの全ての有効な値の組合せに対応するエントリを含む。シグナリングテーブル内のエントリの総数は２ｎであり、ｎは、ＭＣＳとＮｓｔｓ及びＳＴＢＣの内の少なくとも１つの全ての有効な値の組合せに対応するエントリの数が２ｎ−１より大きな正の整数である。【選択図】図１
2014090336.tif 000002
【特許請求の範囲】
【請求項１】
無線通信のための方法であって、
特定の装置に対して複数のパラメータを包含する制御変数を示すためのＳＩＧ（信号）フィールドをプリアンブルの部分の中に伴うプリアンブルを生成するステップであって、複数のパラメータのうちの１つは、変調およびコーディング・スキーム（「ＭＣＳ」）、および時空間ストリームの数（「Ｎｓｔｓ」）および空間ストリームのそれぞれに対して時空間ブロック・コーディングが適用されるか否かを示すインジケータ（「ＳＴＢＣ」）のうちの少なくとも１つをシグナリングするものとするステップと、
フレーム内において前記プリアンブルを前記装置に対して送信するステップと、を包含し、
それにおいて前記パラメータの１つの値はシグナリング・テーブルに対するインデクスを示し、前記シグナリング・テーブルは未使用エントリおよび「ＭＣＳ」と「Ｎｓｔｓ」および「ＳＴＢＣ」のうちの少なくとも１つのすべての有効な値の組み合わせに対応するエントリを包含し、前記シグナリング・テーブル内のエントリの総数は２ｎであり、それにおいてｎは、「ＭＣＳ」と「Ｎｓｔｓ」および「ＳＴＢＣ」のうちの少なくとも１つのすべての有効な値の組み合わせに対応するエントリの数が２ｎ−１より大きくなるような正の整数であるとする、無線通信のための方法。
【請求項２】
前記シグナリング・テーブル内のエントリは、ＭＩＭＯおよびＭＣＳスキームのうちの少なくとも１つの複雑度に基づいて順序設定される、
請求項１に記載の方法。
【請求項３】
より単純なＭＩＭＯおよびＭＣＳスキームのうちの少なくとも１つに関係付けられるエントリは、前記シグナリング・テーブルの先頭に配置される、
請求項１に記載の方法。
【請求項４】
前記パラメータが「ＭＣＳ」および「Ｎｓｔｓ」をシグナリングする場合には、あらかじめ決定済みの数の未使用エントリおよびシングル時空間ストリーム（すなわち、Ｎｓｔｓ＝１）に関係付けられるエントリが前記シグナリング・テーブルの先頭に配置される、
請求項３に記載の方法。
【請求項５】
前記パラメータが「ＭＣＳ」および「Ｎｓｔｓ」をシグナリングする場合には、あらかじめ決定済みの数の未使用エントリおよびシングル空間ストリームに関係付けられるエントリが前記シグナリング・テーブルの先頭に配置される、
請求項３に記載の方法。
【請求項６】
前記パラメータが「ＭＣＳ」および「Ｎｓｔｓ」をシグナリングする場合には、あらかじめ決定済みの数の未使用エントリおよび低次変調およびシングル時空間ストリーム（すなわち、Ｎｓｔｓ＝１）の両方に関係付けられるエントリが前記シグナリング・テーブルの先頭に配置される、
請求項３に記載の方法。
【請求項７】
前記パラメータが「ＭＣＳ」および「Ｎｓｔｓ」をシグナリングする場合には、あらかじめ決定済みの数の未使用エントリおよび低次変調およびシングル空間ストリームに関係付けられるエントリが前記シグナリング・テーブルの先頭に配置される、
請求項３に記載の方法。
【請求項８】
前記パラメータが「ＭＣＳ」および「ＳＴＢＣ」をシグナリングする場合には、あらかじめ決定済みの数の未使用エントリ、およびＳＴＢＣがいずれの空間ストリームにも適用されないこと（すなわち、「ＳＴＢＣ」＝０）の表示に関係付けられるエントリが前記シグナリング・テーブルの先頭に配置される、
請求項３に記載の方法。
【請求項９】
前記パラメータが「ＭＣＳ」および「ＳＴＢＣ」をシグナリングする場合には、あらかじめ決定済みの数の未使用エントリおよび低次変調に関係付けられるエントリが前記シグナリング・テーブルの先頭に配置される、
請求項３に記載の方法。
【請求項１０】
前記パラメータが「ＭＣＳ」および「ＳＴＢＣ」をシグナリングする場合には、あらかじめ決定済みの数の未使用エントリ、および低次変調および、ＳＴＢＣがいずれの空間ストリームにも適用されないこと（すなわち、「ＳＴＢＣ」＝０）の表示の両方に関係付けられるエントリが前記シグナリング・テーブルの先頭に配置される、
請求項３に記載の方法。
【請求項１１】
前記パラメータが「ＭＣＳ」、「ＳＴＢＣ」、および「Ｎｓｔｓ」をシグナリングする場合には、あらかじめ決定済みの数の未使用エントリおよび低次変調およびシングル時空間ストリーム（すなわち、Ｎｓｔｓ＝１）に関係付けられるエントリが前記シグナリング・テーブルの先頭に配置される、
請求項３に記載の方法。
【請求項１２】
前記パラメータが「ＭＣＳ」、「ＳＴＢＣ」、および「Ｎｓｔｓ」をシグナリングする場合には、あらかじめ決定済みの数の未使用エントリおよび低次変調およびシングル空間ストリームの両方に関係付けられるエントリが前記シグナリング・テーブルの先頭に配置される、
請求項３に記載の方法。
【発明の詳細な説明】
【技術分野】
【０００１】
本発明は、概して無線通信に関し、より詳細に述べれば、ＷＬＡＮ（無線ローカル・エリア・ネットワーク）システムにおける制御変数を信号として送信するための方法に関する。
【背景技術】
【０００２】
ＩＥＥＥ（電気電子技術者協会）８０２．１１ａｈタスク・グループは、たとえば８６８ＭＨｚ〜８６８．６ＭＨｚ（ヨーロッパ）、９２０．６ＭＨｚ〜９２８ＭＨｚ（日本）、および９０２ＭＨｚ〜９２８ＭＨｚ（米国）等の１ＧＨｚ未満の免許不要帯域（ｌｉｃｅｎｓｅ−ｅｘｅｍｐｔ  ｂａｎｄ）において運用するＯＦＤＭ（直交周波数分割多重）ＰＨＹ（物理レイヤ）を定義する仕様、およびこのＰＨＹをサポートするＩＥＥＥ  ８０２．１１  ＭＡＣ（メディア・アクセス・コントロール）に対する機能拡張を現在行っている。ＩＥＥＥ  ８０２．１１ａｈは、各国法規に基づいて割り当てられた異なるチャネル割り当てに対応すべく、たとえば１ＭＨｚ、２ＭＨｚ、４ＭＨｚ、８ＭＨｚ、および１６ＭＨｚといった複数のチャンネル帯域幅のサポートを予定している。
【０００３】
ＩＥＥＥ  ８０２．１１ａｈ使用用途は、概してセンサおよびデータ・アプリケーションに分類することが可能である。センサ・アプリケーションでは、低データ・レートと、低デューティ・サイクル（ｄｕｔｙ  ｃｙｃｌｅ）動作が求められている。ＩＥＥＥ  ８０２．１１ａｈ  ＭＡＣは、バッテリ駆動センサ・デバイスの電力節約のためにカスタマイズされる必要がある。データ・アプリケーションでは、高いデータ・レートを要求するＩＥＥＥ  ８０２．１１ｎ／１１ａｃアプリケーションと類似する要件が求められ、データ・アプリケーションにおけるトラフィックは、本質的にバースト性である。
【０００４】
ＩＥＥＥ  ８０２．１１ｎ／１１ａｃと同様にＩＥＥＥ  ８０２．１１ａｈもまた、ＭＩＭＯ（Ｍｕｌｔｉｐｌｅ  Ｉｎｐｕｔ  Ｍｕｌｔｉｐｌｅ  Ｏｕｔｐｕｔ）テクノロジ、たとえば空間多重方式（Ｓｐａｔｉａｌ  Ｍｕｔｉｐｌｅｘｉｎｇ）およびＳＴＢＣ（Ｓｐａｃｅ  Ｔｉｍｅ  Ｂｌｏｃｋ  Ｃｏｄｉｎｇ）を利用して、より高いスループットおよび／または、より大きな信頼度を達成する。空間多重方式は、無線通信において使用される、独立かつ別々にエンコードされた複数のデータ・ストリームを複数のアンテナから送信して、より高いデータ転送のスループットを達成する方式である。空間多重方式とは別に、ＳＴＢＣは、データ順序の交換という時間領域の符号化と複数のアンテナごとに信号を変える空間領域の符号化を組み合わせた符号化方式によって通信の信頼度の向上を目的に、無線通信において使用されている。空間多重方式およびＳＴＢＣ両方を組み合わせて使用してデータ転送における、より高いスループットと信頼度の向上の間のトレードオフを達成することが可能である。
【先行技術文献】
【非特許文献】
【０００５】
【非特許文献１】ＩＥＥＥ  ８０２．１１−１１／１１３７ｒ１１，プロポーズド・スペシフィケーション・フレームワーク・フォア・ＴＧａｈ（Ｐｒｏｐｏｓｅｄ  Ｓｐｅｃｉｆｉｃａｔｉｏｎ  Ｆｒａｍｅｗｏｒｋ  ｆｏｒ  ＴＧａｈ），２０１２年９月
【発明の概要】
【発明が解決しようとする課題】
【０００６】
本開示の目的は、ルックアップ・テーブル内において、より多くの未使用エントリを将来の拡張のために使用可能な無線通信のための方法を提供することである。
【課題を解決するための手段】
【０００７】
本開示によれば、無線通信のための方法が、特定の装置に対して複数のパラメータを包含する制御変数を示すためのＳＩＧ（信号）フィールドをプリアンブルの部分の中に伴うプリアンブルを生成するステップであって、複数のパラメータのうちの１つは、変調およびコーディング・スキーム（「ＭＣＳ」）、および時空間ストリームの数（「Ｎｓｔｓ」）および空間ストリームのそれぞれに対して時空間ブロック・コーディングが適用されるか否かを示すインジケータ（「ＳＴＢＣ」）のうちの少なくとも１つをシグナリングするものとするステップと、フレーム内においてプリアンブルを装置に対して送信するステップとを包含する。
【０００８】
前記パラメータの１つの値はシグナリング・テーブルに対するインデクスを示し、当該シグナリング・テーブルは未使用エントリおよび「ＭＣＳ」と「Ｎｓｔｓ」および「ＳＴＢＣ」のうちの少なくとも１つのすべての有効な値の組み合わせに対応するエントリを包含し、シグナリング・テーブル内のエントリの総数は２ｎであり、それにおいてｎは、「ＭＣＳ」と「Ｎｓｔｓ」および「ＳＴＢＣ」のうちの少なくとも１つのすべての有効な値の組み合わせに対応するエントリの数が２ｎ−１より大きくなるような正の整数であるとする。
【０００９】
前記無線通信のための方法によれば、シグナリング・テーブル内のエントリは、ＭＩＭＯおよびＭＣＳスキームのうちの少なくとも１つの複雑度に基づいて順序設定される。
【００１０】
前記無線通信のための方法によれば、より単純なＭＩＭＯおよびＭＣＳスキームのうちの少なくとも１つに関係付けられるエントリがシグナリング・テーブルの先頭に配置される。
【００１１】
前記無線通信のための方法によれば、前記パラメータが「ＭＣＳ」および「Ｎｓｔｓ」をシグナリングする場合には、あらかじめ決定済みの数の未使用エントリおよびシングル時空間ストリーム（すなわち、Ｎｓｔｓ＝１）に関係付けられるエントリがシグナリング・テーブルの先頭に配置される。
【００１２】
前記無線通信のための方法によれば、前記パラメータが「ＭＣＳ」および「Ｎｓｔｓ」をシグナリングする場合には、あらかじめ決定済みの数の未使用エントリおよびシングル空間ストリームに関係付けられるエントリがシグナリング・テーブルの先頭に配置される。
【００１３】
前記無線通信のための方法によれば、前記パラメータが「ＭＣＳ」および「Ｎｓｔｓ」をシグナリングする場合には、あらかじめ決定済みの数の未使用エントリおよび低次変調およびシングル時空間ストリーム（すなわち、Ｎｓｔｓ＝１）の両方に関係付けられるエントリがシグナリング・テーブルの先頭に配置される。
【００１４】
前記無線通信のための方法によれば、前記パラメータが「ＭＣＳ」および「Ｎｓｔｓ」をシグナリングする場合には、あらかじめ決定済みの数の未使用エントリおよび低次変調およびシングル空間ストリームに関係付けられるエントリがシグナリング・テーブルの先頭に配置される。
【００１５】
前記無線通信のための方法によれば、前記パラメータが「ＭＣＳ」および「ＳＴＢＣ」をシグナリングする場合には、あらかじめ決定済みの数の未使用エントリ、およびＳＴＢＣがいずれの空間ストリームにも適用されないこと（すなわち、「ＳＴＢＣ」＝０）の表示に関係付けられるエントリがシグナリング・テーブルの先頭に配置される。
【００１６】
前記無線通信のための方法によれば、前記パラメータが「ＭＣＳ」および「ＳＴＢＣ」をシグナリングする場合には、あらかじめ決定済みの数の未使用エントリおよび低次変調に関係付けられるエントリがシグナリング・テーブルの先頭に配置される。
【００１７】
前記無線通信のための方法によれば、前記パラメータが「ＭＣＳ」および「ＳＴＢＣ」をシグナリングする場合には、あらかじめ決定済みの数の未使用エントリ、および低次変調および、ＳＴＢＣがいずれの空間ストリームにも適用されないこと（すなわち、「ＳＴＢＣ」＝０）の表示の両方に関係付けられるエントリがシグナリング・テーブルの先頭に配置される。
【００１８】
前記無線通信のための方法によれば、前記パラメータが「ＭＣＳ」、「ＳＴＢＣ」、および「Ｎｓｔｓ」をシグナリングする場合には、あらかじめ決定済みの数の未使用エントリおよび低次変調およびシングル時空間ストリーム（すなわち、Ｎｓｔｓ＝１）に関係付けられるエントリがシグナリング・テーブルの先頭に配置される。
【００１９】
前記無線通信のための方法によれば、前記パラメータが「ＭＣＳ」、「ＳＴＢＣ」、および「Ｎｓｔｓ」をシグナリングする場合には、あらかじめ決定済みの数の未使用エントリおよび低次変調およびシングル空間ストリームの両方に関係付けられるエントリがシグナリング・テーブルの先頭に配置される。
【００２０】
本開示の特徴および利点については、以下の本開示の詳細な説明を添付図面とともに参照すること、および特許請求の範囲からより良好な理解が得られるであろう。
【発明の効果】
【００２１】
本開示においては、ＳＩＧフィールド内にある「Ｎｓｔｓ」、「ＳＴＢＣ」、および「ＭＣＳ」のために必要とされるシグナリング・ビットを可能な限り少ないビット数とする、またはＭＣＳテーブル内にある未使用エントリに用いるビット数を可能な限り多くするように、ＳＩＧフィールド内に含められる制御変数情報、特にＭＣＳおよびＭＩＭＯ情報が結合された形で信号として送信する（プリアンブル信号を構成する）。更に、結合シグナリング・テーブル内のエントリ順序を、ＭＩＭＯスキームの複雑度、つまり、空間ストリームの数、またはＭＣＳスキームの複雑度、変調多値数および符号化率に基づいて決定する。
【００２２】
これにより、ＭＣＳテーブル内において、より多くの未使用エントリを将来の拡張のために使用できる。
【図面の簡単な説明】
【００２３】
【図１】ＭＩＭＯ（複数入力複数出力）ＷＬＡＮ（無線ローカル・エリア・ネットワーク）システムの一例を示す図
【図２】ＡＰ（アクセス・ポイント）および２つのＵＴ（ユーザ端末）の一例を示す図
【図３】第１の例のＴＸプロセッサを示す図
【図４】第２の例のＴＸプロセッサを示す図
【図５】ＰＨＹフレームの構造の一例を示す図
【図６】ＰＨＹフレームのＳＩＧ（信号）フィールドの一例を示す図
【図７】４ビットのＭＣＳ（変調およびコーディング・スキーム）テーブルの一例を示す図
【図８】本開示の第１の実施の形態におけるＰＨＹフレームのＳＩＧフィールドの一例を示す図
【図９】本開示の第１の実施の形態の第１の態様における６ビットのＭＣＳ−Ｎｓｔｓテーブルの一例を示す図
【図１０】本開示の第１の実施の形態の第２の態様における６ビットのＭＣＳ−Ｎｓｔｓテーブルの一例を示す図
【図１１】本開示の第１の実施の形態における６ビットのＭＣＳ−Ｎｓｔｓテーブルの先頭に配置される未使用エントリの数を決定するための方法を示すフローチャート
【図１２】本開示の第１の実施の形態の第３の態様における６ビットのＭＣＳ−Ｎｓｔｓテーブルの一例を示す図
【図１３】本開示の第１の実施の形態の第４の態様における６ビットのＭＣＳ−Ｎｓｔｓテーブルの一例を示す図
【図１４】本開示の第１の実施の形態の第５の態様における６ビットのＭＣＳ−Ｎｓｔｓテーブルの一例を示す図
【図１５】本開示の第２の実施の形態におけるＰＨＹフレームのＳＩＧフィールドの一例を示す図
【図１６】本開示の第２の実施の形態の第１の態様における５ビットのＭＣＳ−ＳＴＢＣテーブルの一例を示す図
【図１７】本開示の第２の実施の形態の第２の態様における５ビットのＭＣＳ−ＳＴＢＣテーブルの一例を示す図
【図１８】本開示の第２の実施の形態における５ビットのＭＣＳ−ＳＴＢＣテーブルの先頭に配置される未使用エントリの数を決定するための方法を示すフローチャート
【図１９】本開示の第２の実施の形態の第３の態様における５ビットのＭＣＳ−ＳＴＢＣテーブルの一例を示す図
【図２０】本開示の第２の実施の形態の第４の態様における５ビットのＭＣＳ−ＳＴＢＣテーブルの一例を示す図
【図２１】本開示の第３の実施の形態におけるＰＨＹフレームのＳＩＧフィールドの一例を示す図
【図２２】本開示の第３の実施の形態の第１の態様における６ビットのＭＣＳ−ＳＴＢＣ−Ｎｓｔｓテーブルの一例を示す図
【図２３】本開示の第３の実施の形態の第２の態様における６ビットのＭＣＳ−ＳＴＢＣ−Ｎｓｔｓテーブルの一例を示す図
【図２４】本開示の第３の実施の形態における６ビットのＭＣＳ−ＳＴＢＣ−Ｎｓｔｓテーブルの先頭に配置される未使用エントリの数を決定するための方法を示すフローチャート
【図２５】本開示の第３の実施の形態の第３の態様における６ビットのＭＣＳ−ＳＴＢＣ−Ｎｓｔｓテーブルの一例を示す図
【発明を実施するための形態】
【００２４】
以下、添付図面を参照して本開示の多様な実施の形態について詳細に説明する。以下の説明においては、これに組み込まれている周知の機能および構成の詳細な説明が明瞭および簡潔のために割愛されている。
【００２５】
＜本開示に至る経緯＞
【００２６】
図１は、一例のＭＩＭＯ  ＷＬＡＮシステム１００をアクセス・ポイントおよびユーザ端末とともに図解している。簡明のため、図１には１つのＡＰ（アクセス・ポイント）１１０だけが示されている。ＡＰは、一般に、ユーザ端末と通信する固定局である。ＵＴ（ユーザ端末）は、固定端末または移動端末となり得る。ＵＴのうちのいくつか、たとえば１２０ｂ、１２０ｄ、１２０ｅ、および１２０ｆは、データ・アプリケーション用途に特化させることができる。そのほかのＵＴ、たとえば１２０ａおよび１２０ｃは、センサ・アプリケーションに特化させることができる。
【００２７】
ＳＵ−ＭＩＭＯ（シングル・ユーザ−ＭＩＭＯ）として動作時、ＡＰ１１０は、ダウンリンクおよびアップリンク時のある所定の時点では１つのＵＴ１２０と通信することができる。ここでダウンリンクとは、ＡＰ１１０からＵＴ１２０への通信回線であり、アップリンクとは、ＵＴ１２０からＡＰ１１０への通信回線である。一方、ＭＵ−ＭＩＭＯ（マルチ・ユーザ−ＭＩＭＯ）動作時、ＡＰ１１０は、ダウンリンクおよびアップリンク時のある所定の時点において、１つより多くのＵＴ１２０と通信することができる。
【００２８】
注意点としては、本開示においては、ＳＵ−ＭＩＭＯが考慮されている。図１に示されているとおり、ＵＴは、たとえば１２０ｅおよび１２０ｆのように別のＵＴとのピア−トゥ−ピア（ｐｅｅｒ−ｔｏ−ｐｅｅｒ）通信を行なうこともできる。コントローラ１３０がＡＰと結合しており、ＡＰのための調整およびコントロール情報を提供する。
【００２９】
ＳＵ−ＭＩＭＯを使用してダウンリンクおよびアップリンクデータ送信を行なうために、ＡＰ１１０には複数のアンテナが装備される。ＵＴには、複数のアンテナが装備されることもあれば、単一のアンテナが装備されることもあり、ＵＴのタイプに依存する。
【００３０】
データ・アプリケーション用途として使用されているＵＴ、たとえば１２０ｂ、１２０ｄ、１２０ｅ、または１２０ｆは、複数のアンテナを有することがあり、センサ・アプリケーション用途として使用されているＵＴ、たとえばＵＴ１２０ａまたはＵＴ１２０ｃは、単一のアンテナを有することがある。複数のアンテナが装備されたＵＴについては、空間多重方式およびＳＴＢＣの両方をダウンリンクおよびアップリンクの両方のために使用することが可能である。しかしながら単一のアンテナが装備されたＵＴについては、ＳＴＢＣをダウンリンクのために使用することが可能である。
【００３１】
図２は、ＭＩＭＯ  ＷＬＡＮシステム１００におけるＡＰ１１０および２つのＵＴ１２０ａおよび１２０ｄを図解したブロック図である。ＡＰ１１０には、Ｎａｐ個（Ｎａｐ＞１）のアンテナ２３２ａ〜２３２ｂが装備されている。ＵＴ１２０ｄは、データ・アプリケーション用に構成されており、Ｎｕｔ個（Ｎｕｔ＞１）のアンテナ２８２ｄａ〜２８２ｄｂが装備されている。
【００３２】
ＵＴ１２０ａは、センサ・アプリケーション用に構成されており、単一のアンテナ２８２ａ（すなわち、Ｎｕｔ＝１）を備える。ＡＰ１１０は、ダウンリンク用の送信装置およびアップリンク用の受信装置を備える。ＵＴ１２０は、アップリンク用の送信装置およびダウンリンク用の受信装置を備える。
【００３３】
アップリンクでは、アップリンク用送信装置が選択されているＵＴ１２０において、ＴＸプロセッサ２５４がデータ・ソース２５２からトラフィック・データを、コントローラ２６０からプリアンブルを受け取る。そのプリアンブルは、送信トラフィック・データについての制御変数情報、たとえばＭＣＳ（変調およびコーディング・スキーム）およびＭＩＭＯ情報等からなる。トラフィック・データおよびプリアンブルは、両方ともにＵＴ１２０からＡＰ１１０へ、ＰＨＹフレームの形式で送信される。
【００３４】
ＴＸプロセッサ２５４は、ＰＨＹフレームのプリアンブル部分の処理を行なってＮｕｔ個のアンテナのためのＮｕｔ個の送信コントロールシンボルストリームを生成する。ＴＸプロセッサ２５４はまた、制御変数情報に基づいてＰＨＹフレームのデータ部分の処理を行なってＮｕｔ個のアンテナのためのＮｕｔ個の送信データシンボルストリームも生成する。
【００３５】
ＴＵ（送信機ユニット）２８０は、それぞれの送信コントロールまたはデータ記号ストリームを受け取って処理（たとえば、アナログへの変換、増幅、フィルタリング、および周波数のアップコンバート）を行ない、アップリンク信号を生成する。Ｎｕｔ個のＴＵ  ２８０は、Ｎｕｔ個のアンテナ２８２からＡＰ１１０への送信のためのＮｕｔ個のアップリンク信号を提供する。
【００３６】
ＡＰ１１０においては、Ｎａｐ個のアンテナ２３２ａ〜２３２ｂが、Ｎｕｔ個のアップリンク信号をＵＴ１２０から受信する。各アンテナ２３２は、それぞれのＲＵ（受信機ユニット）２３０へ受信した信号を提供する。各ＲＵ  ２３０は、ＴＵ  ２８０によって行なわれた処理の相補的な処理を行ない、受信コントロールまたはデータシンボルストリームを提供する。ＲＸプロセッサ２２４は、最初に、Ｎａｐ個のＲＵ  ２３０からのＮａｐ個の受信されたコントロールシンボルストリームに対する受信機処理を行ない、制御変数情報を獲得する。ＲＸプロセッサ２２４は、獲得した制御変数情報に従ってＮａｐ個のＲＵ  ２３０からのＮａｐ個の受信済みデータシンボルストリームに対する受信機処理の実行に進み、ＵＴ１２０のためのＰＨＹフレームのデコードされたデータ部分を獲得するが、これはデータ・シンク２２２へデータ保持のために提供されること、および／またはその先の処理のためにコントローラ２１０へ提供されることがある。
【００３７】
ダウンリンクでは、ＡＰ１１０において、ＴＸプロセッサ２０４は、データ・ソース２０２からダウンリンク送信にスケジュールされたＵＴ１２０のためのトラフィック・データ、コントローラ２１０からプリアンブル、またスケジューラ２１２から可能性のあるそのほかのデータを受け取る。プリアンブルは、トラフィック・データを送信するための制御変数情報、たとえばＭＣＳおよびＭＩＭＯ情報等からなる。トラフィック・データおよびプリアンブルは、両方ともにＡＰ１１０からＵＴ１２０へ、ＰＨＹフレームの形式で送信される。
【００３８】
ＴＸプロセッサ２０４は、ＰＨＹフレームのプリアンブル部分の処理を行なってＮａｐ個のアンテナのためのＮａｐ個の送信コントロールシンボルストリームを生成する。ＴＸプロセッサ２０４はまた、制御変数情報に基づいてＰＨＹフレームのデータ部分の処理を行ないＮａｐ個のアンテナのためのＮａｐ個の送信データシンボルストリームも生成する。各ＴＵ  ２３０は、それぞれの送信コントロールまたはデータシンボルストリームを受け取って処理を行ない、ダウンリンク信号を生成する。Ｎａｐ個のＴＵ  ２３０は、Ｎａｐ個のアンテナ２３２からＵＴ１２０への送信のためのＮａｐ個のダウンリンク信号を提供する。
【００３９】
ＵＴ１２０においては、Ｎｕｔ個のアンテナ２８２がＮａｐ個のダウンリンク信号をＡＰ１１０から受信する。各ＲＵ  ２８０は、ＴＵ  ２３０によって行なわれた処理の相補的な処理を行ない、受信コントロールまたはデータシンボルストリームを提供する。ＲＸプロセッサ２７４は、最初に、Ｎｕｔ個のＲＵ  ２８０からのＮｕｔ個の受信済みコントロールシンボルストリームに対する受信機処理を行ない、制御変数情報を獲得する。ＲＸプロセッサ２７４は、獲得した制御変数情報に基づいてＮｕｔ個のＲＵ  ２８０からのＮｕｔ個の受信済みデータシンボルストリームに対する受信機処理の実行に進み、ＵＴ１２０のためのＰＨＹフレームのデコードしたデータ部分を獲得するが、これはデータ・シンク２７２へデータ保持のために提供されること、および／またはその先の処理のためにコントローラ２６０へ提供されることがある。
【００４０】
なお、図２におけるＴＸプロセッサ２０４または２５４は、ＰＨＹフレームのプリアンブル部分およびデータ部分のために異なる処理アーキテクチャを採用できる。また、ＰＨＹフレームのデータ部分のためにＴＸプロセッサ２０４または２５４によって採用された処理アーキテクチャは、ＭＣＳおよびＭＩＭＯ情報等のレート依存パラメータの変更に従って変更できる機能を有していても良い。
【００４１】
ＩＥＥＥ  ８０２．１１ａｈ仕様フレームワーク・ドキュメント（非特許文献１）によれば、複数のＭＣＳ（Ｍｏｄｕｌａｔｉｏｎ  ａｎｄ  Ｃｏｄｉｎｇ  Ｓｃｈｅｍｅ）、すなわちＭＣＳ０〜ＭＣＳ１０がサポートされる。図３は、ＰＨＹフレームのデータ部分を処理するための第１の例のＴＸプロセッサ３００を図解したブロック図であり、これは、ＩＥＥＥ  ８０２．１１ａｈ仕様フレームワーク・ドキュメント（非特許文献１）に従ったＭＣＳ０〜ＭＣＳ９に適用可能である。なお、ＴＸプロセッサ３００は、図２に示されているＴＸプロセッサ２０４またはＴＸプロセッサ２５４を参照している。
【００４２】
ＴＸプロセッサ３００はスクランブラ３０２を含み、ＰＨＹフレームのデータ部分の情報ビット・ストリームをスクランブルして１または０の長いシーケンスの発生を低減させる。
【００４３】
スクランブラ３０２にはエンコーダ・パーサ３０４が結合されており、それが情報ビット・ストリームを、１つまたは２つのＦＥＣ（前方誤り訂正）エンコーダ３０６に対応する１つまたは２つのエンコーダ入力ストリームに逆多重化する。
【００４４】
ＦＥＣエンコーダの数は、レート依存パラメータによって決定される。各ＦＥＣエンコーダ３０６は、対応する入力ストリームをエンコードして対応するエンコード済みストリームを生成する。ＦＥＣエンコーダ３０６は、たとえば、ＢＣＣ（バイナリ畳み込みコード）エンコーダである。
【００４５】
ストリーム・パーサ３０８は、１つまたは２つのエンコード済みストリームを、独立したインターリーブおよびコンステレーション・ポイントへのマッピングのためにＮｓｓ個の空間ストリームに分割する。
【００４６】
空間ストリームは、通信リンクの両終端、つまり、ＡＰ１１０の、複数のアンテナを用いて生成された複数の空間的次元によってＵＳ１２０に向けて送信されたビット又は変調シンボルのストリームである。なお、空間ストリームの最大数は予め決定済みであり、例えば、Ｎｓｓ≦４である。
【００４７】
各空間ストリームに対応してインターリーバ３１０が、その空間ストリームのビットをインターリーブし（すなわち、ビットの順序を変更し）、誤り成分を持つ連続した長い系列のビットが受信機のデコーダに入り込むことを防止する。また、各空間ストリームに対応してコンステレーション・マッパ３１２が、インターリーブ後のビットのシーケンスを、ＯＦＤＭシンボル内の異なるサブキャリアに対応するコンステレーション・ポイントにマップする。
【００４８】
ＳＴＢＣユニット３１４は、Ｎｓｓ個の空間ストリームに対応するコンステレーション・ポイントを受け取り、それらの空間ストリームをＮｓｔｓ個の時空間ストリームに拡散する。時空間ストリームは、１つ以上の変調シンボルの空間ストリームに対する空間処理と時間処理との組合せの適用によって生成された変調シンボルのストリームである。
【００４９】
ＳＴＢＣユニット３１４は、ＳＴＢＣ処理を省略して、単に空間ストリームを通過させることも可能である。ＮｓｓとＮｓｔｓとの関係は、ＳＴＢＣが行なわれるか否かに依存する。例えば、Ｎｓｓ個の空間ストリームに対してＳＴＢＣが適用される場合には、Ｎｓｔｓ＝２×Ｎｓｓとなる。適用されないときには、Ｎｓｔｓ＝Ｎｓｓである。つまり、Ｎｓｓ個の空間ストリームに対してＳＴＢＣが適用される場合には、Ｎｓｓが１または２のいずれかとなり、Ｎｓｔｓが２または４のいずれかとなる。適用されない場合には、ＮｓｓまたはＮｓｔｓが、１、２、３、および４のうちの１つとなる。
【００５０】
複数のＣＳＤ（Ｃｙｃｌｉｃ  Ｓｈｉｆｔ  Ｄｉｖｅｒｓｉｔｙ）ユニット３１６が、時空間ストリームのうちの１つを除くすべて（１つより多くの時空間ストリームがある場合）に循環シフトを挿入する。循環シフトは、意図しないビームフォーミングを防止する。
【００５１】
空間マッピング・ユニット３１８は、Ｎｔｘ個の送信チェーンに対してＮｓｔｓ個の時空間ストリームをマップする。空間マッピングは、
（１）各時空間ストリームからコンステレーション・ポイントが送信チェーン上に直接マップされる直接マッピング（すなわち、１対１のマッピング）、
（２）すべての時空間ストリームからのコンステレーション・ポイントのベクトルが行列乗算を介して展開されて送信チェーンへの入力が作り出される空間展開、
および
（３）すべての時空間ストリームからのコンステレーション・ポイントの各ベクトルがステアリング・ベクトルの行列によって乗算され、送信チェーンへの入力が作り出されるビームフォーミングのうちの１つまたは複数を含む。
【００５２】
空間マッピング・ユニット３１８の各出力は、送信チェーンに対応しており、その空間マッピング・ユニット３１８の各出力に、コンステレーション・ポイントのブロックを時間軸信号に変換するＩＤＦＴ（逆離散フーリエ変換）ユニット３２０による演算が施される。
【００５３】
ＩＤＦＴユニット３２０の出力は、ＧＩ（Ｇｕａｒｄ  Ｉｎｔｅｒｖａｌ）挿入およびウインドウユニット３２２に入力され、ＯＦＤＭシンボル毎に、同じ符号状態を有するようにＯＦＤＭシンボルを時間的に拡張し、そして各シンボルのエッジのスムージングを行ないスペクトルの減衰を増加させる処理が実施される。
ＧＩ挿入およびウインドウユニット３２２の出力は、図２におけるＴＵ  ２３０または２８０において、アナログ信号に変換され、更に、送信のためのＲＦ周波数にアップコンバートされる。
【００５４】
図４は、ＰＨＹフレームのデータ部分を処理するための第２の例のＴＸプロセッサ４００を示す図であり、ＩＥＥＥ  ８０２．１１ａｈ仕様フレームワーク・ドキュメント（非特許文献１）に従った変調および符号化方式の一つであるＭＣＳ１０に適用できる。なお、ＴＸプロセッサ４００は、図２に示されているＴＸプロセッサ２０４またはＴＸプロセッサ２５４を参照している。
【００５５】
ＴＸプロセッサ４００はスクランブラ４０２を含み、スクランブラ４０２は、ＰＨＹフレームのデータ部分の情報ビット・ストリームをスクランブルして、１または０の長いシーケンスの発生を低減させる。スクランブラ４０２にはＦＥＣエンコーダ４０６として、例えばＢＣＣエンコーダが結合されており、入力ストリームをエンコードしてエンコード済みストリームを生成する。
【００５６】
反復ユニット４０８は、毎ＯＦＤＭシンボルベースでエンコード済みストリームに対して２×ブロック単位の反復を行ない、その後に続くインターリーブおよびコンステレーション・ポイントへのマッピングのためのシングル空間ストリームを出力する。
【００５７】
ＴＸプロセッサ４００がＳＴＢＣユニットを含まないことから、空間ストリームが時空間ストリームと実際に等しく、すなわちＮｓｓ＝Ｎｓｔｓ＝１である。インターリーバ４１０は、その空間ストリームのビットをインターリーブし、隣接するノイズ性のビットの長いシーケンスが受信機のデコーダに入り込むことを防止する。続いてコンステレーション・マッパ４１２が、インターリーブ後のビットシーケンスを、ＯＦＤＭシンボルの異なるサブキャリアに対応するコンステレーション・ポイントに対してマップする。
【００５８】
空間マッピング・ユニット４１８は、Ｎｔｘ個の送信チェーンに対して、空間ストリームに対応するコンステレーション・ポイントにマップする。
【００５９】
空間マッピング・ユニット４１８の各出力は、送信チェーンに対応しており、それぞれのＩＤＦＴユニット４２０に入力される。
各ＩＤＦＴユニット４２０は、それぞれのコンステレーション・ポイントを時間軸信号に変換する。
【００６０】
ＩＤＦＴユニット４２０の出力は、ＧＩ挿入およびウインドウユニット４２２に入力される。
ＧＩ挿入およびウインドウユニット４２２は、各ＯＦＤＭシンボルに対して、ＯＦＤＭシンボルの符号特性を維持した状態で時間方向に延長させ、各ＯＦＤＭシンボルのエッジのスムージングを行ないスペクトルの減衰量を増加させる。
【００６１】
ＧＩ挿入およびウインドウユニット４２２の出力は、図２におけるＴＵ  ２３０または２８０へ出力される。ＴＵ  ２３０または２８０は、ＧＩ挿入およびウインドウユニット４２２の出力をアナログ信号に変換し、更に送信のためのＲＦ周波数にアップコンバートする。
【００６２】
図５は、ＩＥＥＥ  ８０２．１１ａｈ仕様フレームワーク・ドキュメント（非特許文献１）に従ったＳＵ−ＭＩＭＯ送信のために使用可能なＰＨＹフレーム５００の構造の一例である。ＰＨＹフレーム５００は、例えば、図１に図解されているＭＩＭＯ  ＷＬＡＮシステム１００のダウンリンクにおいてＡＰ１１０からＵＴ１２０へ、あるいはアップリンクにおいてＵＴ１２０からＡＰ１１０へ送信される。
【００６３】
ＰＨＹフレーム５００は、プリアンブル５１０およびデータ部分５０８を包含している。プリアンブル５１０は、さらに、ＳＴＦ（ショート・トレーニング・フィールド）５０２、複数のＬＴＦ（ロング・トレーニング・フィールド）５０４、およびＳＩＧ（信号）フィールド５０６を含む。
【００６４】
ＳＴＦ  ５０２および第１のＬＴＦ  ５０４ａは、パケット検出の実行において、およびＳＩＧフィールド５０６のフォーマットの決定において受信機を補助するために、それぞれ使用される。
【００６５】
残りのＬＴＦ  ５０４ｂは、受信機によって、ＰＨＹフレーム５００のデータ部分５０８を受信するためのＭＩＭＯチャンネルの評価に使用される。ＳＩＧフィールド５０６は、フレーム５００のデータ部分５０８を送信するための制御変数情報を含む。なお、ＳＴＦ  ５０２、ＬＴＦ  ５０４、およびＳＩＧフィールド５０６の送信処理アーキテクチャに関しては、ＩＥＥＥ  ８０２．１１ａｈ仕様フレームワーク・ドキュメント（非特許文献１）を参照することができる。
【００６６】
図６は、ＩＥＥＥ  ８０２．１１ａｈ仕様フレームワーク・ドキュメント（非特許文献１）に従ったＳＵ−ＭＩＭＯ送信のために使用可能なＳＩＧフィールド５０６のフォーマットの一例を示す。
【００６７】
図６において、ＳＩＧフィールド５０６は、ＳＴＢＣ（１ビット）、スムージング（１ビット）、Ｎｓｔｓ（２ビット）、ＭＣＳ（４ビット）、長さ（９ビット）、アグリゲーション（１ビット）、コーディング（２ビット）、ショートＧＩ（１ビット）、およびＡｃｋ表示（２ビット）といったシグナリング・パラメータを包含する。またＳＩＧフィールド５０６は、４つのＣＲＣ（巡回冗長検査）ビット、６つのテール・ビット、および３つの未使用ビットも包含している。
【００６８】
図３に示されているＴＸプロセッサ３００および図４に示されているＴＸプロセッサ４００を参照すると、１ビットのＳＩＧパラメータ「ＳＴＢＣ」は、全ての空間ストリームに対してＳＴＢＣが適用されるか否かを示す。いずれの空間ストリームに対してもＳＴＢＣが適用されない場合は「ＳＴＢＣ」が０にセットされる。各空間ストリームに対してＳＴＢＣが適用される場合は「ＳＴＢＣ」が１にセットされる。
【００６９】
図４に示されているとおり、ＭＣＳ１０に対してはＳＴＢＣが未適用であるため、ＭＣＳ１０については「ＳＴＢＣ」が０にセットされる。
【００７０】
２ビットのＳＩＧパラメータである「Ｎｓｔｓ」は、時空間ストリームの数を指定する。ＭＣＳ０〜ＭＣＳ９については、Ｎｓｔｓを１、２、３、または４とすることが可能である。しかしながらＭＣＳ１０については、図４に示されているとおり、Ｎｓｔｓを１とする必要がある。
【００７１】
４ビットのＳＩＧパラメータである「ＭＣＳ」は、ＰＨＹフレーム５００のデータ部分５０８によって使用されるＭＣＳを指定するＭＣＳテーブルに対するインデクスを示す。
【００７２】
図７は、４ビットのＭＣＳテーブルの一例を示す。残りのＳＩＧパラメータの定義に関しては、ＩＥＥＥ  ８０２．１１ａｈ仕様フレームワーク・ドキュメント（非特許文献１）によって参照可能である。
【００７３】
図７では、ＭＣＳ０およびＭＣＳ１０がＢＰＳＫ（バイナリ位相シフト・キーイング）を用いた変調に対応し、ＭＣＳ１〜ＭＣＳ２がＱＰＳＫ（直交位相シフト・キーイング）を用いた変調に対応し、ＭＣＳ３〜ＭＣＳ４が１６−ＱＡＭ（直交振幅変調）を用いた変調に対応し、ＭＣＳ５〜ＭＣＳ７が６４−ＱＡＭを用いた変調に対応し、ＭＣＳ８〜ＭＣＳ９が２５６−ＱＡＭを用いた変調に対応する。
【００７４】
なお、ＢＰＳＫおよびＱＰＳＫは、低次変調に分類でき、１６−ＱＡＭ、６４−ＱＡＭ、および２５６−ＱＡＭは高次変調に分類できる。低次変調が高次変調より電力効率がよいため、高次変調（たとえば、ＭＣＳ３〜ＭＣＳ９）と比較した場合、低次変調（たとえば、ＭＣＳ１０およびＭＣＳ０〜ＭＣＳ２）は、より低い電力の動作が要求されるセンサ・アプリケーションに向けられたＵＴに適している。
【００７５】
図６および図７によれば、ＳＩＧフィールド５０６内のＭＩＭＯおよびＭＣＳ関連の制御変数「Ｎｓｔｓ」、「ＳＴＢＣ」、および「ＭＣＳ」のシグナリングに７ビットが使用されており、ＭＣＳテーブル内には５つの未使用エントリが存在している。
【００７６】
つまり、「Ｎｓｔｓ」、「ＳＴＢＣ」、および「ＭＣＳ」のために使用するシグナリング・ビット数がより少なければ、ＳＩＧフィールド５０６をより短くすることによって、シグナリングのオーバーヘッドを低減することができる。
【００７７】
また、ＭＣＳテーブル内の５つの未使用エントリを使用し、将来的な拡張のためにＳＩＧフィールド５０６に、他のＰＨＹ／ＭＡＣ特徴を導入することもできる。
【００７８】
例えば、ＮＤＰ（Ｎｕｌｌ  Ｄａｔａ  Ｐａｃｋｅｔ）フレーム・タイプを表示するためにＭＣＳテーブル内のいくつかの未使用エントリを使用できる。従って、ＳＩＧフィールド５０６内において可能な限り少ない数の「Ｎｓｔｓ」、「ＳＴＢＣ」、および「ＭＣＳ」のために必要とされるシグナリング・ビットを有すること、またはＭＣＳテーブル内において可能な限り多くの未使用エントリを有することが好ましい。
【００７９】
＜本開示の概要＞
図３、図４、および図６を参照すると、「ＭＣＳ」、「Ｎｓｔｓ」、および「ＳＴＢＣ」等のいくつかのＳＩＧパラメータが相互関係にあることが分かる。
【００８０】
例えば、図７に示すＭＣＳ１０は、シングル時空間ストリーム（すなわち、Ｎｓｔｓ＝１および「ＳＴＢＣ」＝０）の場合において有効であることから、「ＭＣＳ」は、実際には「Ｎｓｔｓ」および「ＳＴＢＣ」と相関関係にある。さらに、「Ｎｓｔｓ」および「ＳＴＢＣ」も互いに相関関係にある。これは、ＳＴＢＣが空間ストリームのそれぞれに適用される場合には（すなわち、「ＳＴＢＣ」＝１）、Ｎｓｔｓが２または４のいずれかになるからである。
【００８１】
上記の観察に基づき、本開示は、「ＭＣＳ」と「Ｎｓｔｓ」および「ＳＴＢＣ」のうちの少なくとも１つを、それらのシグナリング（パラメータの決定）をそれぞれ個別に行なうことに代えて、結合された形でシグナリングするという基本的な着想を得た。
【００８２】
「ＭＣＳ」、「Ｎｓｔｓ」、および「ＳＴＢＣ」の間には相関関係が存在するので、実際に使用する「ＭＣＳ」、「Ｎｓｔｓ」、および「ＳＴＢＣ」を組み合わせて変数化することにより、未使用エントリ数を増加させることができる。
【００８３】
その結果、「ＭＣＳ」、「Ｎｓｔｓ」、および「ＳＴＢＣ」の制御変数を信号化し送信するために必要とされるビット数を減少させ、または結合シグナリング・テーブル内の未使用エントリの数を増加できる。
【００８４】
（第１の実施の形態）
本開示の第１の実施の形態によれば、ＳＩＧフィールド５０６内における制御変数、特にＭＣＳおよびＭＩＭＯ情報をシグナリングする方法の基本な考え方は、両方のＳＩＧパラメータ「ＭＣＳ」および「Ｎｓｔｓ」を結合してシグナリングすることであり、「ＭＣＳ」および「Ｎｓｔｓ」の両方が独立してシグナリングされている図６に示す先行技術のシグナリングする方法とは異なる。
【００８５】
図８は、本開示の第１の実施の形態におけるＳＩＧフィールド５０６の一例を示す。図８では、６ビットのＳＩＧパラメータ「ＭＣＳ−Ｎｓｔｓ」が、図６に示す４ビットの「ＭＣＳ」および２ビットの「Ｎｓｔｓ」に代えて使用される。
【００８６】
６ビットの「ＭＣＳ−Ｎｓｔｓ」によって示される値は、６ビットのＭＣＳ−Ｎｓｔｓテーブルへのインデクスを示しており、「ＭＣＳ」および「Ｎｓｔｓ」の特定の組み合わせに関係付けられている。
【００８７】
なお、図８に示す６ビットのＳＩＧパラメータ「ＭＣＳ−Ｎｓｔｓ」は、図６に示す４ビットのＳＩＧパラメータ「ＭＣＳ」および２ビットのＳＩＧパラメータ「Ｎｓｔｓ」と同数のシグナリング・ビットである。従って、本開示の第１の実施の形態は、図６の先行技術と同数の未使用ビットをＳＩＧフィールド５０６内に有する。
【００８８】
本開示の第１の実施の形態の第１の態様における６ビットのＭＣＳ−Ｎｓｔｓテーブルの一例を図９に示す。６ビットのＭＣＳ−Ｎｓｔｓテーブルのエントリは、「ＭＣＳ」と「Ｎｓｔｓ」との有効な組み合わせの全てを含む。
【００８９】
ここで、時空間ストリームの最大数は４（すなわち、Ｎｓｔｓ≦４）であり、ＭＣＳの総数は１１であり、Ｎｓｔｓ＝１の場合についてはＭＣＳのうちの１つ（すなわち、ＭＣＳ１０）が対応する。
【００９０】
従って、「ＭＣＳ」と「Ｎｓｔｓ」との有効な組み合わせの総数は４１であり、ｋ＝６とする場合、組合せ総数は２ｋ−１より大きく、かつ２ｋより小さい。従って、６ビットの「ＭＣＳ−Ｎｓｔｓ」は、「ＭＣＳ」および「Ｎｓｔｓ」のシグナリングに十分なビット数となる。
【００９１】
また、６ビットのＭＣＳ−Ｎｓｔｓテーブル内には、図７に示す先行技術のＭＣＳテーブル内における未使用エントリの数である５に対して、２３個（＝６４−４１）の未使用エントリが存在する。
【００９２】
本開示の第１の実施の形態の第２の態様における６ビットのＭＣＳ−Ｎｓｔｓテーブルの一例を図１０に示す。図１０では、６ビットのＭＣＳ−Ｎｓｔｓテーブル内のエントリが、ＭＩＭＯスキームの複雑度、つまり、時空間ストリームの数に基づいて順序設定されており、より単純なＭＩＭＯスキームに関係付けられるエントリが６ビットのＭＣＳ−Ｎｓｔｓテーブルの先頭に配置されている。
【００９３】
つまり、予め決定済みの数の未使用エントリおよびシングル時空間ストリーム（すなわち、Ｎｓｔｓ＝１）に関係付けられるエントリが、６ビットのＭＣＳ−Ｎｓｔｓテーブルの先頭に配置される。なお、ＵＴ１２０の実装は、時空間ストリームの数の減少に従って、より容易になる。
【００９４】
６ビットＭＣＳ−Ｎｓｔｓテーブルの先頭に配置される未使用エントリの数を決定するための方法１１００を図１１に示す。方法１１００は、ステップ１１０２において開始する。ステップ１１０４においては、シングル時空間ストリームに関係付けられるエントリの数が２ｋ−１より大きくなり、かつ２ｋより大きくならない正の整数ｋを決定する。
【００９５】
つまり、正の整数ｋは、最大５まで設定できる。使用しているエントリの数が１１個のため、正の整数ｋは３以上５以下となる。ここで、ｋ＝３ならＭＣＳ−Ｎｓｔｓテーブルのビット数を削減でき、ｋ＝４又は５なら未使用エントリの数を増加ができる。
【００９６】
ステップ１１０６は、シングル時空間ストリームに関係付けられるエントリの数と２ｋの間における差が未使用エントリの数より小さいか否かをチェックする。
【００９７】
シングル時空間ストリームに関係付けられるエントリの数（１１）と２ｋの（２３＝８、２４＝１６、２５＝３２、２６＝６４）間における差（３、５，２１，５３）が、未使用エントリの数（図９のｉｎｄｅｘ４１−６３＝２３個の未使用エントリ）より小さくない場合（５３）には、６ビットのＭＣＳ−Ｎｓｔｓテーブルの先頭に全ての未使用エントリ（図９のｉｎｄｅｘ４１−６３＝２３個の未使用エントリ）を配置でき、方法１１００がステップ１１０８において終了する。
【００９８】
なお、未使用エントリの数（図９のｉｎｄｅｘ４１−６３＝２３）より小さい場合であればステップ１１１０において、６ビットのＭＣＳ−Ｎｓｔｓテーブルの先頭に配置される未使用エントリの数を、シングル時空間ストリームに関係付けられるエントリの数と２ｋの間における差とを等しくできる。
【００９９】
つまり、２５＝３２ならば、差異は２１個なので、２３個のうち、２１個をｉｄｅｘ１１−３１として、設定でき、残りは、テーブルの最後にｉｎｄｅｘ６２−６３として配置する。
【０１００】
ステップ１１１２においては、ｋが１インクリメント（１増加）される。
【０１０１】
ステップ１１１４は、ｋが６より小さいか否かをチェックする。ｋが６より小さい場合には、ステップ１１０６まで戻り、６ビットのＭＣＳ−Ｎｓｔｓテーブルの先頭に配置される未使用エントリの数について、他のｋの値について検討する。ｋが６より小さくない場合、方法１１００は、ステップ１１１６にて終了する。
【０１０２】
図１１から分かるように、６ビットのＭＣＳ−Ｎｓｔｓテーブルの先頭に配置される未使用エントリの数は、ｋの値に依存している。例えば、図９に示す６ビットのＭＣＳ−Ｎｓｔｓテーブルは、シングル時空間ストリームに関係付けられるエントリの数が１１である。つまり、ＩＮＤＥＸ０からＩＮＤＥＸ１０までが相当する。
【０１０３】
なお、図１１に示されている方法１１００に従うと、２ｋ−１＜１１＜２ｋより、正の整数ｋは、４となる。ここで、ｋ＝５とすれば、ｋビットのＭＣＳ−Ｎｓｔｓテーブルの先頭に配置された未使用エントリの数は、シングル時空間ストリームに関連したエントリの数と２ｋとの差異によって、２１個となる。
【０１０４】
図１０に示す６ビットのＭＣＳ−Ｎｓｔｓテーブルの一例については、シングル時空間ストリームに関係付けられるエントリの数が１１である。図１１に示されている方法に従うと、ｋ＝５（２５＝３２）であれば、６ビットのＭＣＳ−Ｎｓｔｓテーブルの先頭に配置される未使用エントリの数は、２１（＝３２−１１）にできる。なお、図１０に示す６ビットのＭＣＳ−Ｎｓｔｓテーブルの一例は、２１個の未使用エントリが６ビットのＭＣＳ−Ｎｓｔｓテーブルの先頭に配置されている。
【０１０５】
図１０では、６ビットのＭＣＳ−Ｎｓｔｓテーブルの先頭に配置される未使用エントリが、シングル時空間ストリームに関係付けられるエントリの後に配置されている。
【０１０６】
なお、図１０に示す６ビットのＭＣＳ−Ｎｓｔｓテーブルに代えて、未使用エントリをシングル時空間ストリームに関係付けられるエントリの前に配置できる。また、未使用エントリは、シングル時空間ストリームに関係付けられるエントリと混合して配置してもよい。
【０１０７】
以上より、本開示の第１の実施の形態の第２の態様によれば、ＷＬＡＮシステム１００内のいくつかのＵＴ１２０、例えばバッテリ駆動センサ・デバイスは、単一のアンテナであるため、ダウンリンクおよびアップリンク送信のためにシングル時空間ストリームをサポートしているが、マルチ時空間ストリームをサポートしていない場合であっても、図１０に示す６ビットのＭＣＳ−Ｎｓｔｓルックアップ・テーブルのうち、ｋビットのＭＣＳ−Ｎｓｔｓルックアップ・テーブル１００２の維持およびチェックを行なえばよい。なお、ｋは、４、５又は６であればよい。
【０１０８】
ここで、ＭＣＳ−Ｎｓｔｓルックアップ・テーブルをｋ＝４又は５とすれば、ダウンリンクおよびアップリンク送信のためにシングル時空間ストリームをサポートしているＵＴ１２０は、メモリ容量および電力消費を低減できる。
【０１０９】
なお、ＵＴ１２０のメモリ容量を小さくした場合、ｋビットのＭＣＳ−Ｎｓｔｓルックアップ・テーブルの先頭に配置される未使用エントリは、将来の拡張のためのＳＩＧフィールド５０６内への新しいＰＨＹ／ＭＡＣ特徴の導入のために使用できる。
【０１１０】
本開示の第１の実施の形態の第２の態様では、正の整数は、４又は５となる。より小さいｋの値を用いる場合、ダウンリンク及びアップリンク送信のためにシングル時空間ストリームをサポートするＵＴ１２０は、より小さい容量のＭＣＳ−Ｎｓｔｓルックアップ・テーブルを有することができる。
【０１１１】
なお、より小さいｋを用いることで、ＭＣＳ−Ｎｓｔｓルックアップ・テーブルの先頭に配置され、将来拡張に使用できる未使用エントリの数は、より小さくなる。
【０１１２】
つまり、ダウンリンク及びアップリンク送信のためにシングル時空間ストリームをサポートするＵＴ１２０において、ｋビットのＭＣＳ−Ｎｓｔｓルックアップ・テーブルの先頭に配置する未使用エントリの数をより多くするよりも、より容量の小さいＭＣＳ−Ｎｓｔｓルックアップ・テーブルを用いるためには、ｋは、４に設定される。
【０１１３】
ｋビットのＭＣＳ−Ｎｓｔｓルックアップ・テーブルの先頭に配置する未使用エントリの数をより多くするめには、ｋは５に設定される。
【０１１４】
本開示の第１の実施の形態の第３の態様における６ビットのＭＣＳ−Ｎｓｔｓテーブルの一例を図１２に示す。図１２では、６ビットのＭＣＳ−Ｎｓｔｓテーブル内のエントリが、ＭＩＭＯスキームの複雑度、つまり、時空間ストリームの数、およびＭＣＳスキームの複雑度、つまり、変調多値数および符号化率に基づいて順序設定され、より単純なＭＩＭＯスキームおよびＭＣＳスキームに関係付けられるエントリが、６ビットのＭＣＳ−Ｎｓｔｓテーブルの先頭に配置されている。
【０１１５】
つまり、本開示の第１の実施の形態の第３の態様によれば、予め決定済みの数の未使用エントリ、および低次変調（すなわち、ＭＣＳがＢＰＳＫまたはＱＰＳＫのいずれかに基づく）およびシングル時空間ストリーム（すなわち、Ｎｓｔｓ＝１の場合）の両方に関係付けられるエントリが、６ビットのＭＣＳ−Ｎｓｔｓテーブルの先頭に配置される。
【０１１６】
なお、ＵＴ１２０の実装の複雑度は、時空間ストリームの数および変調次数の減少に従って、より小さくなる。
【０１１７】
図１２に示す６ビットのＭＣＳ−Ｎｓｔｓテーブルの先頭に配置される未使用エントリの数は、図１０に示す「シングル時空間ストリームに関係付けられるエントリ」を「低次変調およびシングル時空間ストリームの両方に関係付けられるエントリ」に置き換え、図１１に示す方法１１００に類似する方法を用いて決定できる。
【０１１８】
図１２に示す６ビットのＭＣＳ−Ｎｓｔｓテーブルの一例は、低次変調およびシングル時空間ストリームの両方に関係付けられるエントリの数が４である。図１１によって、正の整数ｋは、３又は４（２３＝８、２４＝１６）に設定できる。
【０１１９】
ｋ＝３又は４において、ｋビットのＭＣＳ−Ｎｓｔｓテーブルの先頭に配置される未使用エントリの数は、２ｋと低次変調およびシングル時空間ストリームの両方に関係付けられるエントリの数との差異に依存する。このため、４（＝８−４）、１２（＝１６−４）に設定できる。
【０１２０】
なお、ｋ＝５の場合について以下に説明する。
【０１２１】
図１２では、使用されるエントリ数は、ｉｎｄｅｘ０−３、１６−５２の４１個となる。よって、６ビットのテーブルにおける未使用エントリの数は、２６−４１＝２３個となる。
【０１２２】
ここで、図１１のステップ１１０６では、ｋ＝５の場合、６ビットのＭＣＳ−Ｎｓｔｓテーブルにおける未使用エントリの数（２３）は、２ｋと低次変調およびシングル時空間ストリームの両方に関係付けられるエントリの数との差異（２８）よりも小さくなるため、ステップ１１０８に移行する。
【０１２３】
このため、ｋビットのＭＣＳ−Ｎｓｔｓテーブルの先頭に配置される未使用エントリの数は、ｋ＝５の場合、２３個となり、全ての未使用エントリは、テーブルの先頭に配置できる。
【０１２４】
なお、図１２に示す６ビットのＭＣＳ−Ｎｓｔｓテーブルの一例は、ｋ＝４における１２個の未使用エントリ（ｉｎｄｅｘ４−１５）が６ビットのＭＣＳ−Ｎｓｔｓテーブルの先頭に配置され、残りの未使用エントリ（ｉｎｄｅｘ５３−６３）は最後尾に配置されている。
【０１２５】
図１２に示す６ビットのＭＣＳ−Ｎｓｔｓテーブルでは、６ビットのＭＣＳ−Ｎｓｔｓテーブルの先頭に配置される未使用エントリが、低次変調およびシングル時空間ストリームの両方に関係付けられるエントリの後に配置されている。
【０１２６】
なお、未使用エントリは、低次変調およびシングル時空間ストリームの両方に関係付けられるエントリの前に配置してもよい。また、未使用エントリは、低次変調およびシングル時空間ストリームの両方に関係付けられるエントリと混合して配置してもよい。
【０１２７】
以上より、本開示の第１の実施の形態の第３の態様によれば、ＷＬＡＮシステム１００内のいくつかのＵＴ１２０、例えばバッテリ駆動センサ・デバイスは、ダウンリンクおよびアップリンク送信のためにシングル時空間ストリームをサポートしているが、マルチ時空間ストリームをサポートしていない、更に、電力節約の目的から、ダウンリンクおよびアップリンク送信のために低次変調をサポートしているが、高次変調をサポートしていない場合であっても、図１２に示す６ビットのＭＣＳ−Ｎｓｔｓルックアップ・テーブルのうち、ｋビットのＭＣＳ−Ｎｓｔｓルックアップ・テーブル１２０２の維持およびチェックを行なえばよい。なお、ｋは３，４，又は５である。
【０１２８】
このため、ダウンリンクおよびアップリンク送信のために低次変調およびシングル時空間ストリームの両方をサポートしているＵＴ１２０は、メモリ容量および電力消費を低減できる。なお、６ビットのＭＣＳ−Ｎｓｔｓルックアップ・テーブルの先頭に配置される未使用エントリが将来の拡張のためのＳＩＧフィールド５０６内への新しいＰＨＹ／ＭＡＣ特徴の導入のために使用できる。
【０１２９】
以上より、正の整数ｋは３，４又は５に設定できる。
【０１３０】
第１の実施の形態の第３の態様において、より小さいｋの値を用いる場合、ダウンリンク及びアップリンク送信のためにシングル時空間ストリームをサポートするＵＴ１２０は、より小さいＭＣＳ−Ｎｓｔｓルックアップ・テーブルを維持とチェックできる。
【０１３１】
しかしながら、テーブルの先頭に配置され、将来拡張に使用できる未使用エントリの数は、より小さくなる。
【０１３２】
正の整数をｋは３に設定することで、ダウンリンクおよびアップリンク送信のために低次変調およびシングル時空間ストリームの両方をサポートするＵＴ１２０は、できるだけ小さいＭＣＳ−Ｎｓｔｓルックアップ・テーブルを維持することができる。
【０１３３】
また、正の整数をｋは５に設定することで、ＵＴ１２０は、より大きい未使用エントリの数を、６ビットのＭＣＳ−Ｎｓｔｓルックアップ・テーブルの先頭に配置することができる。
【０１３４】
また、正の整数をｋは４に設定することで、ＵＴ１２０は、維持に適したＭＣＳ−Ｎｓｔｓルックアップ・テーブルのサイズと、６ビットのＭＣＳ−Ｎｓｔｓルックアップ・テーブルの先頭に配置できる未使用エントリの数と、両立することができる。
【０１３５】
本開示の第１の実施の形態の第４の態様における６ビットのＭＣＳ−Ｎｓｔｓテーブルの一例を図１３に示す。図１３では、６ビットのＭＣＳ−Ｎｓｔｓテーブル内のエントリが、ＭＩＭＯスキームの複雑度、つまり、空間ストリームの数に基づいて順序設定され、より単純なＭＩＭＯスキームに関係付けられるエントリが６ビットのＭＣＳ−Ｎｓｔｓテーブルの先頭に配置されている。
【０１３６】
本開示の第１の実施の形態の第４の態様によれば、予め決定済みの数の未使用エントリおよびシングル空間ストリーム（すなわち、Ｎｓｔｓ＝１の場合またはＮｓｔｓ＝２の場合）に関係付けられるエントリが、６ビットのＭＣＳ−Ｎｓｔｓテーブルの先頭に配置される。なお、ＵＴ１２０の実装は、空間ストリームの数の減少に従って、より容易になる。
【０１３７】
また、本態様では、ＵＴ１２０が、単一のアンテンを用いて構成されている場合に、Ｎｓｔｓ＝２であっても、シングル空間ストリームと見做して受信処理する。
【０１３８】
図１３に示す６ビットのＭＣＳ−Ｎｓｔｓテーブルの先頭に配置される未使用エントリの数は、図１０に示す６ビットのＭＣＳ−Ｎｓｔｓテーブルにおける「シングル時空間ストリームに関係付けられるエントリ」を、「シングル空間ストリームに関係付けられるエントリ」に置き換え、図１１に示す方法１１００に類似する方法を用いて決定できる。
【０１３９】
例えば、図１３では、６ビットのＭＣＳ−Ｎｓｔｓルックアップ・テーブルにおいて、シングル空間ストリームに関連するエントリの数は２１である。
【０１４０】
図１１の方法によって、正の整数ｋは、５に設定できる。このため、図１３に示すように、６ビットのＭＣＳ−Ｎｓｔｓルックアップ・テーブルの先頭に配置される未使用エントリの数は、２ｋとシングルストリームに関連するエントリの数との差異によって１１にできる。（ｉｎｄｅｘ２１−３１が対応）
【０１４１】
なお、図１３に示す６ビットのＭＣＳ−Ｎｓｔｓテーブルの一例は、シングル空間ストリームに関係付けられるエントリの数が２１である。従って、６ビットのＭＣＳ−Ｎｓｔｓテーブルの先頭に配置される未使用エントリの数は、図１３では、ｉｎｄｅｘ２１−３３１が対応し、１１となる。
【０１４２】
図１３に示す６ビットのＭＣＳ−Ｎｓｔｓテーブルでは、６ビットのＭＣＳ−Ｎｓｔｓテーブルの先頭に配置される未使用エントリが、シングル空間ストリームに関係付けられるエントリの後に配置されている。なお、未使用エントリは、シングル空間ストリームに関係付けられるエントリの前に配置でき、また、シングル空間ストリームに関係付けられるエントリと混合して配置してもよい。
【０１４３】
以上より、本開示の第１の実施の形態の第４の態様によれば、ＷＬＡＮシステム１００内のいくつかのＵＴ１２０、例えばバッテリ駆動センサ・デバイスは、単一のアンテナであるため、ダウンリンクおよびアップリンク送信のためにシングル空間ストリームをサポートしているが、マルチ時空間ストリームをサポートしていない場合であっても、図１３に示す６ビットのＭＣＳ−Ｎｓｔｓルックアップ・テーブルのうち、ｋビットのＭＣＳ−Ｎｓｔｓルックアップ・テーブル１３０２の維持およびチェックを行なえばよい。ここでは、ｋは５である。
【０１４４】
このため、ダウンリンクおよびアップリンク送信のためにシングル空間ストリームをサポートしているＵＴ１２０は、メモリ容量および電力消費を低減できる。なお、６ビットのＭＣＳ−Ｎｓｔｓルックアップ・テーブルの先頭に配置される未使用エントリが将来の拡張のためのＳＩＧフィールド５０６内への新しいＰＨＹ／ＭＡＣ特徴の導入のために使用できる。
【０１４５】
本開示の第１の実施の形態の第５の態様における６ビットのＭＣＳ−Ｎｓｔｓテーブルの一例を図１４に示す。図１４では、６ビットのＭＣＳ−Ｎｓｔｓテーブル内のエントリが、ＭＩＭＯスキームの複雑度、つまり、空間ストリームの数、およびＭＣＳスキームの複雑度に基づいて順序設定されており、より単純なＭＩＭＯおよびＭＣＳスキームに関係付けられるエントリが６ビットのＭＣＳ−Ｎｓｔｓテーブルの先頭に配置されている。
【０１４６】
本開示の第１の実施の形態の第５の態様によれば、予め決定済みの数の未使用エントリ、および低次変調（すなわち、ＭＣＳが、ＢＰＳＫまたはＱＰＳＫである）およびシングル空間ストリーム（すなわち、Ｎｓｔｓ＝１の場合またはＮｓｔｓ＝２の場合）の両方に関係付けられるエントリが、６ビットのＭＣＳ−Ｎｓｔｓテーブルの先頭に配置される。なお、ＵＴ１２０の実装の複雑度は、空間ストリームの数および変調次数の減少に従ってより小さくなる。
【０１４７】
ここで、図１４に示す６ビットのＭＣＳ−Ｎｓｔｓテーブルの先頭に配置される未使用エントリの数は、図１０に示す６ビットのＭＣＳ−Ｎｓｔｓテーブル「シングル時空間ストリームに関係付けられるエントリ」を、「低次変調およびシングル空間ストリームの両方に関係付けられるエントリ」に置き換え、図１１に示す方法１１００に類似する方法を用いて決定できる。
【０１４８】
例えば、図１４に示す６ビットのＭＣＳ−Ｎｓｔｓテーブルにおいて、低次元変調とシングル空間ストリームのとの両方に関連するエントリの数は、７である。
【０１４９】
図１１の方法によると、正の整数ｋは３，４又は５に設定できる。ｋが３又は４場合、ｋビットのＭＣＳ−Ｎｓｔｓテーブルの先頭に配置する未使用エントリの数は、２ｋと低次元変調とシングル空間外リームに関する数との差異によって決定する。このため、ｋ＝３では１（＝８−７）となり、ｋ＝４では９（＝１６−７）となる。
【０１５０】
なお、ｋが５の場合、図９における未使用エントリの数（ｉｎｄｅｘ４１−６３＝２３個）は、２ｋと低次元変調とシングル空間ストリームの両方に関連するエントリとの差異（２５＝３２と７との差異＝２５）より、少なくなる。このため２３個の未使用エントリは、６ビットのＭＣＳ−Ｎｓｔｓテーブルの先頭に配置できる。つまり、図１４のｉｎｄｅｘ４５−６３も先頭に配置できる。
【０１５１】
図１４に示す６ビットのＭＣＳ−Ｎｓｔｓテーブルの一例は、低次変調およびシングル空間ストリームの両方に関係付けられるエントリの数が７である。従って、６ビットのＭＣＳ−Ｎｓｔｓテーブルの先頭に配置される未使用エントリの数は、１、９、または２３に設定できる。
【０１５２】
なお、図１４に示す６ビットのＭＣＳ−Ｎｓｔｓテーブルの一例では、ｋ＝４において、９個の未使用エントリ（ＩＮＤＥＸ７−１５）が、６ビットのＭＣＳ−Ｎｓｔｓテーブルの先頭に配置されている。
【０１５３】
図１４に示す６ビットのＭＣＳ−Ｎｓｔｓテーブルでは、６ビットのＭＣＳ−Ｎｓｔｓテーブルの先頭に配置される未使用エントリが、低次変調およびシングル空間ストリームの両方に関係付けられるエントリの後に配置されている。
【０１５４】
なお、未使用エントリは、低次変調およびシングル空間ストリームの両方に関係付けられるエントリの前に配置してもよく、低次変調およびシングル空間ストリームの両方に関係付けられるエントリと混合して配置してもよい。
【０１５５】
以上より、本開示の第１の実施の形態の第５の態様によれば、ＷＬＡＮシステム１００内のいくつかのＵＴ１２０、例えばバッテリ駆動センサ・デバイスは、単一のアンテナであるため、ダウンリンクおよびアップリンク送信のためにシングル空間ストリームをサポートしているが、マルチ時空間ストリームをサポートしていない、更に、電力節約の目的から、ダウンリンクおよびアップリンク送信のために低次変調をサポートしているが、高次変調をサポートしていない場合であっても、図１４に示す６ビットのＭＣＳ−Ｎｓｔｓルックアップ・テーブルのうち、ｋビットのＭＣＳ−Ｎｓｔｓルックアップ・テーブル１４０２の維持およびチェックを行なえばよい。なお、ｋは、３，４又は５である。
【０１５６】
このため、ダウンリンクおよびアップリンク送信のために低次変調およびシングル空間ストリームの両方をサポートしているＵＴ１２０は、メモリ容量および電力消費を低減できる。なお、６ビットのＭＣＳ−Ｎｓｔｓルックアップ・テーブルの先頭に配置される未使用エントリが将来の拡張のためのＳＩＧフィールド５０６内への新しいＰＨＹ／ＭＡＣ特徴の導入のために使用できる。
【０１５７】
このため、正の整数ｋは３，４又は５になる。第１の実施の形態の第５の態様では、より小さいｋの値を用いる場合、ダウンリンク及びアップリンク送信のためにシングル時空間ストリームをサポートするＵＴ１２０は、より小さい容量のＭＣＳ−Ｎｓｔｓルックアップ・テーブルを用いて構成できる。なお、テーブルの先頭に配置され、将来拡張に使用できる未使用エントリの数は、より小さくなる。
【０１５８】
つまり、ダウンリンク及びアップリンク送信のためにシングル時空間ストリームをサポートするＵＴ１２０において、ｋビットのＭＣＳ−Ｎｓｔｓルックアップ・テーブルの先頭に配置する未使用エントリの数をより多くするよりも、より容量の小さいＭＣＳ−Ｎｓｔｓルックアップ・テーブルを用いるためには、ｋは４に設定される。
【０１５９】
ｋビットのＭＣＳ−Ｎｓｔｓルックアップ・テーブルの先頭に配置する未使用エントリの数をより多くするめには、ｋは５に設定される。
【０１６０】
これにより、ＳＩＧフィールド５０６のシグナリング・オーバーヘッドを低減できる、つまり、より容量の小さいルックアップ・テーブルを用いることができる。または、ルックアップ・テーブル内において、より多くの未使用エントリを将来の拡張のために使用できる。また、ＵＴ１２０、たとえばセンサ・デバイスの実装をより容易に構成できる。
【０１６１】
（第２の実施の形態）
本開示の第２の実施の形態によれば、制御変数、特にＭＣＳおよびＭＩＭＯ情報のシグナリング方法の基本的な考え方は、両方のＳＩＧパラメータ「ＭＣＳ」および「ＳＴＢＣ」を結合してシグナリングすることであり、「ＭＣＳ」および「ＳＴＢＣ」の両方が独立してシグナリングされている図６に示す先行技術のシグナリング方法とは異なる。
【０１６２】
図１５は、本開示の第２の実施の形態におけるＳＩＧフィールド５０６の一例を示す。図１５では、５ビットのＳＩＧパラメータ「ＭＣＳ−ＳＴＢＣ」が、図６に示す先行技術における４ビットの「ＭＣＳ」および１ビットの「ＳＴＢＣ」と置き換えられている。
【０１６３】
５ビットの「ＭＣＳ−ＳＴＢＣ」によって示される値は、５ビットのＭＣＳ−ＳＴＢＣテーブルへのインデクスを示しており、「ＭＣＳ」および「ＳＴＢＣ」の特定の組み合わせに関係付けられている。
【０１６４】
なお、５ビットのＳＩＧパラメータ「ＭＣＳ−ＳＴＢＣ」は、図６に示す先行技術における４ビットのＳＩＧパラメータ「ＭＣＳ」および１ビットのＳＩＧパラメータ「ＳＴＢＣ」と同数のシグナリング・ビットである。従って、本開示の第２の実施の形態は、図６に示す先行技術と同数の未使用ビットをＳＩＧフィールド５０６内に有する。
【０１６５】
本開示の第２の実施の形態の第１の態様における５ビットのＭＣＳ−ＳＴＢＣテーブルの一例を図１６に示す。図１６では、５ビットのＭＣＳ−ＳＴＢＣテーブルは、「ＭＣＳ」と「ＳＴＢＣ」の有効な組み合わせの全てを含む。
【０１６６】
ここで、「ＳＴＢＣ」は０または１のいずれかとなり、ＭＣＳレベルの総数は１１である。ＳＴＢＣがいずれの空間ストリームにも適用されない場合（すなわち、「ＳＴＢＣ」＝０）については、ＭＣＳのうちの１つ（すなわちＭＣＳ１０）が対応する。
【０１６７】
従って、「ＭＣＳ」と「ＳＴＢＣ」の有効な組み合わせの総数は２１であり、２４より大きく、かつ２５より小さい。このため、５ビットの「ＭＣＳ−ＳＴＢＣ」は、「ＭＣＳ」および「ＳＴＢＣ」のシグナリングに充分となる。
【０１６８】
また、図１６に示す５ビットのＭＣＳ−ＳＴＢＣテーブル内には、図７に示す先行技術のＭＣＳテーブル内における５つの未使用ビットより多い、１１個の未使用エントリ（ｉｎｄｅｘ２１−３１）が存在する。
【０１６９】
本開示の第２の実施の形態の第２の態様における５ビットのＭＣＳ−ＳＴＢＣテーブルの一例を図１７に示す。図１７では、５ビットのＭＣＳ−ＳＴＢＣテーブル内のエントリが、ＭＩＭＯスキームの複雑度、つまり、空間ストリームの数に基づいて順序設定されており、より単純なＭＩＭＯスキームに関係付けられるエントリが５ビットのＭＣＳ−ＳＴＢＣテーブルの先頭に配置されている。
【０１７０】
つまり、本開示の第２の実施の形態の第２の態様によれば、予め決定済みの数の未使用エントリおよび「ＳＴＢＣ」＝０に関係付けられるエントリが、５ビットのＭＣＳ−ＳＴＢＣテーブルの先頭に配置される。なお、ＵＴ１２０の実装は、空間ストリームのそれぞれにＳＴＢＣが適用されない場合、より容易になる。
【０１７１】
５ビットのＭＣＳ−ＳＴＢＣテーブルの先頭に配置される未使用エントリの数を決定するための方法１８００を図１８に示す。方法１８００は、ステップ１８０２において開始する。ステップ１８０４においては、「ＳＴＢＣ」＝０に関係付けられるエントリの数が２ｋ−１より大きくなり、かつ２ｋより大きくならないような正の整数ｋが決定される。
【０１７２】
ステップ１８０６は、「ＳＴＢＣ」＝０に関係付けられるエントリの数（図１７では１１）と２ｋ（図１７では２３＝１６）の間における差が未使用エントリの数より小さいか否かをチェックする。「ＳＴＢＣ」＝０に関係付けられるエントリの数と２ｋの間における差が未使用エントリの数より小さくない場合には、５ビットのＭＣＳ−ＳＴＢＣテーブルの先頭に全ての未使用エントリ（図１６ではＩｎｄｅｘ２１−３１）を配置でき、方法１８００がステップ１８０８において終了する。
【０１７３】
小さい場合であればステップ１８１０において、５ビットのＭＣＳ−ＳＴＢＣテーブルの先頭に配置される未使用エントリの数を「ＳＴＢＣ」＝０に関係付けられるエントリの数と２ｋの間における差と等しくする。つまり、図１６のＩｎｄｅｘ２１−３１を、図１７のＩｎｄｅｘ１１−１５と、ｉｎｄｅｘ２６−３１に分割して配置する。
【０１７４】
ステップ１８１２においては、ｋが１インクリメント（１増加）される。ステップ１８１４は、ｋが５より小さいか否かをチェックする。ｋが５より小さい場合には、ステップ１８０６まで戻り、５ビットのＭＣＳ−ＳＴＢＣテーブルの先頭に配置される未使用エントリの数について、他のｋの値について検討する。ｋが６より小さくない場合、方法１８００がステップ１８１６において終了する。
【０１７５】
図１６に示す一例の５ビットのＭＣＳ−ＳＴＢＣテーブルについては、「ＳＴＢＣ」＝０に関係付けられるエントリの数が１１である。図１８に示されている方法に従うと、２４−１＜１１＜２４より、正の整数ｋは４となる。
【０１７６】
図１７に示す５ビットのＭＣＳ−ＳＴＢＣテーブルの先頭に配置される未使用エントリの数は、２ｋとＳＴＢＣ＝０に関連するエントリとの差異によって決定され、２４＝１６より、１６−１１＝５個となる。ｉｎｄｅｘ１１−１５が対応する。
【０１７７】
図１７に示す５ビットのＭＣＳ−ＳＴＢＣテーブルでは、５ビットのＭＣＳ−ＳＴＢＣテーブルの先頭に配置される未使用エントリが、「ＳＴＢＣ」＝０に関係付けられるエントリの後に配置されているが、未使用エントリを「ＳＴＢＣ」＝０に関係付けられるエントリの前に配置してもよい。また、未使用エントリは、「ＳＴＢＣ」＝０に関係付けられるエントリと混合してもよい。
【０１７８】
このため、本開示の第２の実施の形態の第２の態様によれば、ＷＬＡＮシステム１００内のいくつかのＵＴ１２０、例えばバッテリ駆動センサ・デバイスは、ダウンリンクおよびアップリンク送信のためにＳＴＢＣをサポートしていない場合であっても、図１７に示す５ビットのＭＣＳ−ＳＴＢＣルックアップ・テーブルに代えて、ｋビットのＭＣＳ−ＳＴＢＣルックアップ・テーブル１７０２の維持およびチェックを行なえばよい。なお、図１７では、ｋ＝４である。
【０１７９】
このため、ダウンリンクおよびアップリンク送信のためにＳＴＢＣをサポートしていないＵＴ１２０は、メモリ容量および電力消費を低減できる。
【０１８０】
なお、５ビットのＭＣＳ−ＳＴＢＣルックアップ・テーブルの先頭に配置される未使用エントリは、将来の拡張のためのＳＩＧフィールド５０６内への新しいＰＨＹ／ＭＡＣ特徴の導入のために使用できる。
【０１８１】
本開示の第２の実施の形態の第３の態様における５ビットのＭＣＳ−ＳＴＢＣテーブルの一例を図１９に示す。図１９では、５ビットのＭＣＳ−ＳＴＢＣテーブル内のエントリが、ＭＩＭＯスキームの複雑度およびＭＣＳスキームの複雑度に基づいて順序設定され、より単純なＭＩＭＯおよびＭＣＳスキームに関係付けられるエントリが５ビットのＭＣＳ−ＳＴＢＣテーブルの先頭に配置される。
【０１８２】
つまり、本開示の第２の実施の形態の第３の態様によれば、予め決定済みの数の未使用エントリ、および低次の変調および「ＳＴＢＣ」＝０の両方に関係付けられるエントリが５ビットのＭＣＳ−ＳＴＢＣテーブルの先頭に配置される。
【０１８３】
なお、ＵＴ１２０の実装は、空間ストリームのそれぞれにＳＴＢＣが適用されない場合、および変調の次数が減少する場合、より容易になる。
【０１８４】
図１９に示す５ビットのＭＣＳ−ＳＴＢＣテーブルの先頭に配置される未使用エントリの数は、図１７に示す「ＳＴＢＣ」＝０に関係付けられるエントリ」を「低次変調および「ＳＴＢＣ」＝０の両方に関係付けられるエントリ」に置き換え、図１８に示す方法１８００に類似する方法を用いて決定できる。
【０１８５】
図１９に示す５ビットのＭＣＳ−ＳＴＢＣテーブルの一例は、低次変調および「ＳＴＢＣ」＝０の両方に関係付けられるエントリの数が４である。
【０１８６】
正の整数ｋは、図１８に示す方法に従い、４に設定できる。
【０１８７】
ステップ１８０６において、ｋ＝４では、図１６のｉｎｄｅｘ２１−３１に対応する未使用エントリの数（１１）は、２ｋ（２４＝１６）と低変調次数とＳＴＢＣ＝０とに関連するエントリの数（４）との差異（１２）よりも小さい、このため、すべての未利用エントリは、５ビットテーブルの最初に配置できる。
【０１８８】
したがって、ｋ＝４において、５ビットのＭＣＳ−ＳＴＢＣテーブルの先頭に配置される未使用エントリの数は、１１個になる。
【０１８９】
なお、図１９に示されている一例の５ビットのＭＣＳ−ＳＴＢＣテーブルは、ｋ＝４であり、１１個の未使用エントリがすべて、５ビットのＭＣＳ−ＳＴＢＣテーブルの先頭に配置している。
【０１９０】
図１９に示す５ビットのＭＣＳ−ＳＴＢＣテーブルでは、５ビットのＭＣＳ−ＳＴＢＣテーブルの先頭に配置される未使用エントリが、低次変調および「ＳＴＢＣ」＝０の両方に関係付けられるエントリの後に配置されているが、未使用エントリを低次変調および「ＳＴＢＣ」＝０の両方に関係付けられるエントリの前に配置してもよく、低次変調および「ＳＴＢＣ」＝０の両方に関係付けられるエントリと混合してもよい。
【０１９１】
本開示の第２の実施の形態の第３の態様によれば、ＷＬＡＮシステム１００内のいくつかのＵＴ１２０、例えばバッテリ駆動センサ・デバイスは、ダウンリンクおよびアップリンク送信のためにＳＴＢＣをサポートしていない、かつ、ダウンリンクおよびアップリンク送信のために低次変調をサポートしている場合であっても、図１９に示す５ビットのＭＣＳ−ＳＴＢＣルックアップ・テーブルに代えてｋビットのＭＣＳ−ＳＴＢＣルックアップ・テーブル１９０２の維持およびチェックを行なえばよい。なお、ｋは３又は４に設定できる。
【０１９２】
このため、ダウンリンクおよびアップリンク送信のためにＳＴＢＣをサポートしてなく、低次変調をサポートしているＵＴ１２０は、メモリ容量および電力消費を低減できる。
【０１９３】
なお、ＵＴ１２０のメモリ容量を小さくした場合、５ビットのＭＣＳ−ＳＴＢＣルックアップ・テーブルの先頭に配置される未使用エントリは、将来の拡張のためのＳＩＧフィールド５０６内への新しいＰＨＹ／ＭＡＣ特徴の導入のために使用できる。
【０１９４】
上記より、第２の実施の形態の第３の態様では、正の整数ｋは、３又は４に設定できる。なお、より小さいｋを用いる場合、ダウンリンクおよびアップリンク送信のためにＳＴＢＣをサポートしてなく、低次変調をサポートしているＵＴ１２０は、より小さいＭＣＳ−ＳＴＢＣルックアップ・テーブルを用いて構成できる。なお、ＭＣＳ−ＳＴＢＣルックアップ・テーブルの先頭に配置され、将来の拡張のために使用できるエントリ数は少なくなる。
【０１９５】
つまり、ダウンリンクおよびアップリンク送信のためにＳＴＢＣをサポートしてなく、低次変調をサポートしているＵＴ１２０を、未使用のエントリの数よりも、より小さい容量のＭＣＳ−ＳＴＢＣルックアップ・テーブルを用いて構成するためには、ｋは３が好適であり、より多い数の未使用エントリを含むＭＣＳ−ＳＴＢＣルックアップ・テーブルを用いて構成するためには、ｋは４が好適である。
【０１９６】
本開示の第２の実施の形態の第４の態様において５ビットのＭＣＳ−ＳＴＢＣテーブルの一例を図２０に示す。図２０では、５ビットのＭＣＳ−ＳＴＢＣテーブル内のエントリが、ＭＣＳスキームの複雑度に基づいて順序設定されており、より単純なＭＣＳスキームに関係付けられるエントリが５ビットのＭＣＳ−ＳＴＢＣテーブルの先頭に配置されている。
【０１９７】
つまり、本開示の第２の実施の形態の第４の態様によれば、予め決定済みの数の未使用エントリおよび低次変調に関係付けられるエントリが、５ビットのＭＣＳ−ＳＴＢＣテーブルの先頭に配置される。なお、ＵＴ１２０の実装は、変調の次数の減少に従って、より容易になる。
【０１９８】
５ビットのＭＣＳ−ＳＴＢＣテーブルの先頭に配置される未使用エントリの数は、図１７「「ＳＴＢＣ」＝０に関係付けられるエントリ」を「低次変調に関係付けられるエントリ」に置き換え、図１８に示されている方法１８００に類似する方法を用いて決定できる。
【０１９９】
図２０に示す５ビットのＭＣＳ−ＳＴＢＣテーブル一例は、低次変調に関係付けられるエントリの数が７である。図１８に示す方法によって、正の整数ｋは、３（２３＝８）又は４（２４＝１６）に設定できる。
【０２００】
したがって、５ビットのＭＣＳ−ＳＴＢＣテーブルの先頭に配置される未使用エントリの数は、２ｋと低次元の変調との差異によって、１個（＝８−７）または９個（＝１６−７）に設定できる。
【０２０１】
なお、図２０に示す５ビットのＭＣＳ−ＳＴＢＣテーブルの一例は、ｋ＝４であり、９個の未使用エントリが、５ビットのＭＣＳ−ＳＴＢＣテーブルの先頭に配置されている。
【０２０２】
図２０に示す５ビットのＭＣＳ−ＳＴＢＣテーブルでは、５ビットのＭＣＳ−ＳＴＢＣテーブルの先頭に配置される未使用エントリが、低次変調に関係付けられるエントリの後に配置されているが、低次変調に関係付けられるエントリの前に配置してもよく、低次変調に関係付けられるエントリと混合してもよい。
【０２０３】
以上より、本開示の第２の実施の形態の第４の態様によれば、ＷＬＡＮシステム１００内のいくつかのＵＴ１２０、例えばバッテリ駆動センサ・デバイスは、ダウンリンクおよびアップリンク送信のために低次変調をサポートしている場合であっても、図２０に示す５ビットのＭＣＳ−ＳＴＢＣルックアップ・テーブルに代えて、ｋビットのＭＣＳ−ＳＴＢＣルックアップ・テーブル２００２の維持およびチェックを行なえばよい。なお、ｋは３又は４である。
【０２０４】
このため、ダウンリンクおよびアップリンク送信のために低次変調をサポートしているＵＴ１２０は、メモリ容量および電力消費を低減できる。なお、５ビットのＭＣＳ−ＳＴＢＣルックアップ・テーブルの先頭に配置される未使用エントリは、将来の拡張のためのＳＩＧフィールド５０６内への新しいＰＨＹ／ＭＡＣ特徴の導入のために使用できる。
【０２０５】
上記より、第２の実施の形態の第４の態様では、正の整数ｋは、３又は４に設定できる。より小さいｋを用いる場合、ダウンリンクおよびアップリンク送信のために低次変調をサポートしているＵＴ１２０は、将来の拡張できる未使用エントリ数は少なくなる。
【０２０６】
つまり、ダウンリンクおよびアップリンク送信のために低次変調をサポートしているＵＴ１２０を、未使用のエントリの数よりも、より小さい容量のＭＣＳ−ＳＴＢＣルックアップ・テーブルを用いて構成するためには、ｋは３が好適であり、より多い数の未使用エントリを含むＭＣＳ−ＳＴＢＣルックアップ・テーブルを用いて構成するためには、ｋは４が好適である。
【０２０７】
これにより、ＳＩＧフィールド５０６のシグナリング・オーバーヘッドを低減できる、つまり、より容量の小さいルックアップ・テーブルを用いることができる。または、ルックアップ・テーブル内において、より多くの未使用エントリを将来の拡張のために使用できる。また、ＵＴ１２０、たとえばセンサ・デバイスの実装をより容易に構成できる。
【０２０８】
（第３の実施の形態）
本開示の第３の実施の形態によれば、制御変数、特にＭＣＳおよびＭＩＭＯ情報のシグナリング方法の基本的な考え方は、「ＭＣＳ」、「Ｎｓｔｓ」、および「ＳＴＢＣ」が結合してシグナリングすることであり、「ＭＣＳ」、「Ｎｓｔｓ」、および「ＳＴＢＣ」が独立してシグナリングされている図６に示す先行技術とは異なる。
【０２０９】
図２１は、本開示の第３の実施の形態におけるＳＩＧフィールド５０６の一例を示す。図２１では、６ビットのＳＩＧパラメータ「ＭＣＳ−ＳＴＢＣ−Ｎｓｔｓ」が使用され、図６に示す先行技術における４ビットの「ＭＣＳ」、２ビットの「Ｎｓｔｓ」、および１ビットの「ＳＴＢＣ」と置き換えられている。
【０２１０】
６ビットの「ＭＣＳ−ＳＴＢＣ−Ｎｓｔｓ」によって示される値は、６ビットのＭＣＳ−ＳＴＢＣ−Ｎｓｔｓテーブルへのインデクスを示しており、「ＭＣＳ」、「Ｎｓｔｓ」、および「ＳＴＢＣ」の特定の組み合わせに関係付けられている。
【０２１１】
本開示の第３の実施の形態の第１の態様における６ビットのＭＣＳ−ＳＴＢＣ−Ｎｓｔｓテーブルの一例を図２２に示す。図２２では、６ビットのＭＣＳ−ＳＴＢＣ−Ｎｓｔｓテーブルは、「ＭＣＳ」、「Ｎｓｔｓ」、および「ＳＴＢＣ」の有効な組み合わせの全てを含む。
【０２１２】
ここで、「ＳＴＢＣ」は０または１のいずれかとなり、ＭＣＳの総数は１１である。「ＳＴＢＣ」＝０およびＮｓｔｓ＝１の場合については、ＭＣＳのうちの１つ（すなわちＭＣＳ１０）が対応する。
【０２１３】
更に、「ＳＴＢＣ」＝１の場合には、Ｎｓｔｓは２または４のいずれかとなる。従って、「ＭＣＳ」、「Ｎｓｔｓ」、および「ＳＴＢＣ」の有効な組み合わせの総数は６１であり、２５より大きく、かつ２６より小さい。このため、６ビットのＭＣＳ−ＳＴＢＣ−Ｎｓｔｓは、「ＭＣＳ」、「Ｎｓｔｓ」、および「ＳＴＢＣ」のシグナリングに充分となる。更に、６ビットのＭＣＳ−ＳＴＢＣ−Ｎｓｔｓテーブル内には３つの未使用エントリが存在する。
【０２１４】
図６に示す「ＭＣＳ」、「Ｎｓｔｓ」、および「ＳＴＢＣ」のシグナリングに合計で７ビットが使用される先行技術と比較すると、本開示の第３の実施の形態によれば、シグナリングのために使用するビットは６ビットである。このため、本開示の第３の実施の形態においては、図６に示す先行技術よりＳＩＧフィールド５０６内に必要とされるシグナリング・ビットが１つ少ない。従って、ＳＩＧフィールド５０６を短くでき、かつＳＩＧフィールド５０６のオーバーヘッドを低減できる。
【０２１５】
本開示の第３の実施の形態の第２の態様における６ビットのＭＣＳ−ＳＴＢＣ−Ｎｓｔｓテーブルの一例を図２３に示す。図２３では、６ビットのＭＣＳ−ＳＴＢＣ−Ｎｓｔｓテーブル内のエントリが、ＭＩＭＯスキームの複雑度、つまり、シングル時空間ストリーム、およびＭＣＳスキームの複雑度に基づいて順序設定されている。つまり、より単純なＭＩＭＯおよびＭＣＳスキームに関係付けられるエントリが、６ビットのＭＣＳ−ＳＴＢＣ−Ｎｓｔｓテーブルの先頭に配置されている。
【０２１６】
つまり、本開示の第３の実施の形態の第２の態様によれば、予め決定済みの数の未使用エントリ、および低次変調（すなわち、ＭＣＳがＢＰＳＫベースまたはＱＰＳＫベースである）およびシングル時空間ストリーム（すなわち、Ｎｓｔｓ＝１であり、かつ「ＳＴＢＣ」＝０である場合）の両方に関係付けられるエントリが、６ビットのＭＣＳ−ＳＴＢＣ−Ｎｓｔｓテーブルの先頭に配置される。なお、ＵＴ１２０の実装、時空間ストリームの数および変調次数の減少に従って、より容易になる。
【０２１７】
６ビットのＭＣＳ−ＳＴＢＣ−Ｎｓｔｓテーブルの先頭に配置される未使用エントリの数を決定するための方法２４００を図２４に示す。方法２４００は、ステップ２４０２において開始する。ステップ２４０４においては、低次変調およびシングル時空間ストリームの両方に関係付けられるエントリの数が、２ｋ−１より大きくなり、かつ２ｋより大きくならない正の整数ｋが決定される。
【０２１８】
ステップ２４０６は、２ｋと低次変調およびシングル時空間ストリームの両方に関係付けられるエントリの数の間における差が未使用エントリの数より小さいか否かをチェックする。２ｋと低次変調およびシングル時空間ストリームの両方に関係付けられるエントリの数の間における差が未使用エントリの数より小さくない場合には、６ビットのＭＣＳ−ＳＴＢＣ−Ｎｓｔｓテーブルの先頭に全ての未使用エントリを配置でき、方法２４００がステップ２４０８において終了する。小さい場合には、ステップ２４１０において、６ビットのＭＣＳ−ＳＴＢＣ−Ｎｓｔｓテーブルの先頭に配置される未使用エントリの数は、２ｋと低次変調およびシングル時空間ストリームの両方に関係付けられるエントリの数の間における差と等しくできる。
【０２１９】
ステップ２４１２においては、ｋが１インクリメントされる。ステップ２４１４は、ｋが６より小さいか否かをチェックする。ｋが６より小さい場合には、ステップ２４０６まで戻り、６ビットのＭＣＳ−ＳＴＢＣ−Ｎｓｔｓテーブルの先頭に配置される未使用エントリの数について、他のｋの値について検討する。ｋが６より小さくない場合、方法２４００がステップ２４１６において終了する。
【０２２０】
例えば、図２２に示す６ビットテーブルでは、低次元変調とシングル時空間ストリームに関するエントリ数は、４である。
【０２２１】
図２４の方法に従うと、正の整数ｋは３，４又は５になる。なお、ｋ＝３，４又は５では、低次元変調とシングル時空間ストリームとに関するエントリの数は、どのｋの値に対しても、未使用エントリ数より多い。
【０２２２】
このため、ステップ２４０８に相当するため、ｋ＝３，４又は５に対する未使用エントリは、６ビットのＭＣＳ−ＳＴＢＣ−Ｎｓｔｓテーブルの先頭に配置できる。
【０２２３】
ここで、図２３に６ビットのＭＣＳ−ＳＴＢＣ−Ｎｓｔｓテーブルは、ｋ＝３に対応する。全ての未使用エントリ（ｉｎｄｅｘ４−６）は、６ビットテーブルの先頭に配置される。
【０２２４】
図２３に示す６ビットのＭＣＳ−ＳＴＢＣ−Ｎｓｔｓテーブルの一例は、低次変調およびシングル時空間ストリームの両方に関係付けられるエントリの数が４である。図２４に示す方法に従うと、６ビットのＭＣＳ−ＳＴＢＣ−Ｎｓｔｓテーブルの先頭に配置される未使用エントリの数は、図２３では、３個にすることができる。
【０２２５】
図２３に示す６ビットのＭＣＳ−ＳＴＢＣ−Ｎｓｔｓテーブルでは、６ビットのＭＣＳ−ＳＴＢＣ−Ｎｓｔｓテーブルの先頭に配置される未使用エントリが、低次変調およびシングル時空間ストリームの両方に関係付けられるエントリの後に配置されているが、低次変調およびシングル時空間ストリームの両方に関係付けられるエントリの前に配置しても良く、低次変調およびシングル時空間ストリームの両方に関係付けられるエントリと混合しても良い。
【０２２６】
本開示の第３の実施の形態の第２の態様によれば、ＷＬＡＮシステム１００内のいくつかのＵＴ１２０、例えばバッテリ駆動センサ・デバイスの構成として、ダウンリンクおよびアップリンク送信のために低次変調をサポートし、更に、ダウンリンクおよびアップリンク送信のためにシングル時空間ストリームをサポートしている場合であっても、図２３に示す６ビットのＭＣＳ−ＳＴＢＣ−Ｎｓｔｓルックアップ・テーブルに代えて、ｋビットのＭＣＳ−ＳＴＢＣ−Ｎｓｔｓルックアップ・テーブル２３０２を用いた構成であってもよい。なお、ｋは３，４又は５である。
【０２２７】
このため、ダウンリンクおよびアップリンク送信のために低次変調およびシングル時空間ストリームの両方をサポートしているＵＴ１２０は、メモリ容量および電力消費を低減できる。なお、ＵＴ１２０のメモリ容量を小さくした場合、６ビットのＭＣＳ−ＳＴＢＣ−Ｎｓｔｓルックアップ・テーブルの先頭に配置される未使用エントリは、将来の拡張のためのＳＩＧフィールド５０６内への新しいＰＨＹ／ＭＡＣ特徴の導入のために使用できる。
【０２２８】
上記より、第３の実施の形態の第２の態様では、正の整数ｋは、３、４又は５に設定できる。
【０２２９】
なお、より小さいｋを用いる場合、ダウンリンクおよびアップリンク送信のために低次変調およびシングル時空間ストリームの両方をサポートしているＵＴ１２０は、より小さいＭＣＳ−ＳＴＢＣ−Ｎｓｔｓルックアップ・テーブルを用いて構成できる。
【０２３０】
なお、ｋの全ての値において、ＭＣＳ−ＳＴＢＣ−Ｎｓｔｓルックアップ・テーブルの先頭に配置する未使用エントリの数と、将来拡張できるエントリ数とは、同じ数である。
【０２３１】
このため、ダウンリンクおよびアップリンク送信のために低次変調およびシングル時空間ストリームの両方をサポートしているＵＴ１２０は、より小さい容量のテーブルを用いて構成するためには、ｋを３に設定することが好適である。
【０２３２】
本開示の第３の実施の形態の第３の態様において、６ビットのＭＣＳ−ＳＴＢＣ−Ｎｓｔｓテーブルの一例を図２５に示す。図２５では、６ビットのＭＣＳ−ＳＴＢＣ−Ｎｓｔｓテーブル内のエントリが、ＭＩＭＯスキームの複雑度、つまり、空間ストリームの数、およびＭＣＳスキームの複雑度に基づいて順序設定されている。このため、より単純なＭＩＭＯおよびＭＣＳスキームに関係付けられるエントリが６ビットのＭＣＳ−ＳＴＢＣ−Ｎｓｔｓテーブルの先頭に配置されている。
【０２３３】
つまり、本開示の第３の実施の形態の第３の態様によれば、予め決定済みの数の未使用エントリ、および低次変調（すなわち、ＭＣＳがＢＰＳＫベースまたはＱＰＳＫベースである）およびシングル空間ストリーム（すなわち、Ｎｓｔｓ＝１かつ「ＳＴＢＣ」＝０の場合またはＮｓｔｓ＝２かつ「ＳＴＢＣ」＝１の場合）の両方に関係付けられるエントリが、６ビットのＭＣＳ−ＳＴＢＣ−Ｎｓｔｓテーブルの先頭に配置される。なお、ＵＴ１２０の実装は、空間ストリームの数および変調次数の減少に従って、より容易になる。
【０２３４】
６ビットのＭＣＳ−ＳＴＢＣ−Ｎｓｔｓテーブルの先頭に配置される未使用エントリの数は、図２３の「低次変調およびシングル時空間ストリームの両方に関係付けられるエントリ」を、「低次変調およびシングル空間ストリームの両方に関係付けられるエントリ」に置き換えることによって図２４に示されている方法２４００に類似する方法を用いて決定できる。図２５に示す６ビットのＭＣＳ−ＳＴＢＣ−Ｎｓｔｓテーブルの一例は、低次変調およびシングル空間ストリームの両方に関係付けられるエントリの数が７である。
【０２３５】
図２４の方法に従い、正の整数は、３，４又は５に設定できる。ｋ＝３の場合、６ビットテーブルの先頭に配置される未使用エントリの数は、２ｋと低次元変調とシングル空間ストリームとに関連するエントリ数との差異によって、決定され、１個となる。つまり、２３＝８であり、低次元変調とシングル空間ストリームとに関連するエントリ数は７であるため、８−７＝１となる。
【０２３６】
なお、ｋ＝４又は５では、２ｋと低次元変調とシングル空間ストリームに関するエントリ数との差異よりも、図２２の未使用エントリの数（ｉｎｄｅｘ６１−６３の３個）は、小さくなる。
【０２３７】
従って、６ビットのＭＣＳ−ＳＴＢＣ−Ｎｓｔｓテーブルの先頭に配置される未使用エントリの数は、１個または３個のいずれかとなる。
【０２３８】
なお、図２５に示す６ビットのＭＣＳ−ＳＴＢＣ−Ｎｓｔｓテーブルの一例は、ｋ＝３であり、１個の未使用エントリが６ビットのＭＣＳ−ＳＴＢＣ−Ｎｓｔｓテーブルの先頭に配置されている。
【０２３９】
図２５に示す６ビットのＭＣＳ−ＳＴＢＣ−Ｎｓｔｓテーブルでは、６ビットのＭＣＳ−ＳＴＢＣ−Ｎｓｔｓテーブルの先頭に配置される未使用エントリが、低次変調およびシングル空間ストリームの両方に関係付けられるエントリの後に配置されているが、低次変調およびシングル空間ストリームの両方に関係付けられるエントリの前に配置しても良く、低次変調およびシングル空間ストリームの両方に関係付けられるエントリと混合しても良い。
【０２４０】
本開示の第３の実施の形態の第３の態様によれば、ＷＬＡＮシステム１００内のいくつかのＵＴ１２０、例えばバッテリ駆動センサ・デバイスの構成として、ダウンリンクおよびアップリンク送信のために低次変調をサポートし、単一のアンテナが装備され、かつダウンリンクおよびアップリンク送信のためにシングル空間ストリームをサポートしている場合であっても、図２５に示す６ビットのＭＣＳ−ＳＴＢＣ−Ｎｓｔｓルックアップ・テーブルに代えて、ｋビットのＭＣＳ−ＳＴＢＣ−Ｎｓｔｓルックアップ・テーブル２５０２を用いて構成しても良い。なお、ｋは３，４又は５のいずれかである。
【０２４１】
このため、ダウンリンクおよびアップリンク送信のために低次変調およびシングル空間ストリームの両方をサポートしているＵＴ１２０は、メモリ容量および電力消費を低減できる。なお、ＵＴ１２０のメモリ容量を小さくした場合、６ビットのＭＣＳ−ＳＴＢＣ−Ｎｓｔｓルックアップ・テーブルの先頭に配置される未使用エントリは、将来の拡張のためのＳＩＧフィールド５０６内への新しいＰＨＹ／ＭＡＣ特徴の導入のために使用できる。
【０２４２】
上記より、第３の実施の形態における第３の態様では、正の整数ｋは、３、４又は５に設定できる。
【０２４３】
なお、より小さいｋを用いる場合、ダウンリンクおよびアップリンク送信のために低次変調およびシングル空間ストリームの両方をサポートしているＵＴ１２０は、より小さいＭＣＳ−ＳＴＢＣ−Ｎｓｔｓルックアップ・テーブルを用いて構成できる。
【０２４４】
なお、ｋ＝４において、ＭＣＳ−ＳＴＢＣ−Ｎｓｔｓルックアップ・テーブルの先頭に配置される未使用エントリの数と将来拡張できるエントリ数とは、ｋ＝５である場合と同じ数となる。ただし、ｋ＝３である場合より多い。
【０２４５】
ダウンリンクおよびアップリンク送信のために低次変調およびシングル空間ストリームの両方をサポートしているＵＴ１２０は、より小さい容量のテーブルを用いて構成するためには、ｋを３に設定することが好適であり、ＭＣＳ−ＳＴＢＣ−Ｎｓｔｓルックアップ・テーブルの先頭に配置される未使用エントリの数をより多くする場合は、ｋを４に設定することが好適ある。
【０２４６】
これにより、ＳＩＧフィールド５０６のシグナリング・オーバーヘッドを低減できる、つまり、より容量の小さいルックアップ・テーブルを用いることができる。または、ルックアップ・テーブル内において、より多くの未使用エントリを将来の拡張のために使用できる。また、ＵＴ１２０、たとえばセンサ・デバイスの実装をより容易に構成できる。
【符号の説明】
【０２４７】
１００  ＭＩＭＯ  ＷＬＡＮシステム
１１０  アクセス・ポイント、ＡＰ
１２０ａ  ユーザ端末、ＵＴ
１２０ｂ  ユーザ端末
１２０ｃ  ユーザ端末
１２０ｄ  ユーザ端末、ＵＴ
１２０ｅ  ユーザ端末
１２０ｆ  ユーザ端末
１２０  ＵＴ
１３０  コントローラ
２０２  データ・ソース
２０４  ＴＸプロセッサ
２１０  コントローラ
２１２  スケジューラ
２２２  データ・シンク
２２４  ＲＸプロセッサ
２３０  受信機ユニット、ＲＵ、ＴＵ
２３２ａ  アンテナ
２３２ｂ  アンテナ
２３２  アンテナ
２５２  データ・ソース
２５４  ＴＸプロセッサ
２６０  コントローラ
２７２  データ・シンク
２７４  ＲＸプロセッサ
２８０  送信機ユニット、ＴＵ、ＲＵ
２８２ａ  アンテナ
２８２ｄａ  アンテナ
２８２ｄｂ  アンテナ
２８２  アンテナ
３００  ＴＸプロセッサ
３０２  スクランブラ
３０４  エンコーダ・パーサ
３０６  ＦＥＣエンコーダ
３０８  ストリーム・パーサ
３１０  インターリーバ
３１２  コンステレーション・マッパ
３１４  ＳＴＢＣユニット
３１６  ＣＳＤユニット
３１８  空間マッピング・ユニット
３２０  ＩＤＦＴユニット
３２２  ＧＩ挿入およびウインドウィング・ユニット
４００  ＴＸプロセッサ
４０２  スクランブラ
４０６  ＦＥＣエンコーダ
４０８  反復ユニット
４１０  インターリーバ
４１２  コンステレーション・マッパ
４１８  空間マッピング・ユニット
４２０  ＩＤＦＴユニット
４２２  ＧＩ挿入およびウインドウィング・ユニット
５００  ＰＨＹフレーム
５０２  ＳＴＦ
５０４ａ  第１のＬＴＦ
５０４ｂ  残りのＬＴＦ
５０４  ＬＴＦ
５０６  ＳＩＧフィールド
５０８  データ部分
５１０  プリアンブル
１００２  ｋビットのＭＣＳ−Ｎｓｔｓルックアップ・テーブル
１１００  方法
１２０２  ｋビットのＭＣＳ−Ｎｓｔｓルックアップ・テーブル
１３０２  ｋビットのＭＣＳ−Ｎｓｔｓルックアップ・テーブル
１４０２  ｋビットのＭＣＳ−Ｎｓｔｓルックアップ・テーブル
１７０２  ｋビットのＭＣＳ−ＳＴＢＣルックアップ・テーブル
１８００  方法
１９０２  ｋビットのＭＣＳ−ＳＴＢＣルックアップ・テーブル
２３０２  ｋビットのＭＣＳ−ＳＴＢＣ−Ｎｓｔｓルックアップ・テーブル
２４００  方法
【図１】
2014090336.tif 000003
【図２】
2014090336.tif 000004
【図３】
2014090336.tif 000005
【図４】
2014090336.tif 000006
【図５】
2014090336.tif 000007
【図６】
2014090336.tif 000008
【図７】
2014090336.tif 000009
【図８】
2014090336.tif 000010
【図９】
2014090336.tif 000011
【図１０】
2014090336.tif 000012
【図１１】
2014090336.tif 000013
【図１２】
2014090336.tif 000014
【図１３】
2014090336.tif 000015
【図１４】
2014090336.tif 000016
【図１５】
2014090336.tif 000017
【図１６】
2014090336.tif 000018
【図１７】
2014090336.tif 000019
【図１８】
2014090336.tif 000020
【図１９】
2014090336.tif 000021
【図２０】
2014090336.tif 000022
【図２１】
2014090336.tif 000023
【図２２】
2014090336.tif 000024
【図２３】
2014090336.tif 000025
【図２４】
2014090336.tif 000026
【図２５】
2014090336.tif 000027